(57)【要約】【解決手段】本開示は、データ伝送方法、装置及び記憶媒体に関する。当該方法は、基地局が、物理下りチャネルのリソースマッピングを行う際に、調整シンボルを含むターゲットサブフレームに対して、データシンボルをターゲットサブフレームのデータ伝送シンボルおよび調整シンボルにマッピングし、ターゲットサブフレームのデータ伝送を行う際に、調整シンボル内のデータシンボルの伝送を実行または放棄する。ユーザデバイスは、調整シンボルを含むターゲットサブフレームに対してデータ受信を行う際に、ターゲットサブフレームにおける調整シンボル内のデータシンボルの受信を放棄し、データ解析を行う際に、解析されたターゲットサブフレームのデータのうち、調整シンボルに対応する位置を予め設定された数値で補完する。ここで、ターゲットサブフレームは、周波数調整または上り下りの切り替えを行う前の最後のサブフレーム、および／または周波数調整または上り下りの切り替えを行った後の最初のサブフレームである。独立して配備されたＭＴＣシステムにおいて、制御チャネル領域が占有されている場合、狭帯域周波数調整時間や上り下りの切り替え調整時間を設定できないという問題を解決することができる。
2021532639.tif 000002
【特許請求の範囲】
【請求項１】
データ伝送方法であって、基地局に適用され、前記方法は、
物理下りチャネルのリソースマッピングを行う際に、調整シンボルを含むターゲットサブフレームに対して、データシンボルを前記ターゲットサブフレームのデータ伝送シンボルおよび前記調整シンボルにマッピングするステップであって、前記ターゲットサブフレームは、周波数調整または上り下りの切り替えを行う前の最後のサブフレーム、および／または周波数調整または上り下りの切り替えを行った後の最初のサブフレームであり、前記データ伝送シンボルは、データを伝送するための直交周波数分割多重ＯＦＤＭシンボルであり、前記調整シンボルは、狭帯域周波数の調整時間または上り下りの切り替え調整時間とされるＯＦＤＭシンボルであるステップと、
前記ターゲットサブフレームのデータ伝送を行う際に、前記調整シンボル内のデータシンボルの伝送を実行または放棄するステップと、を含む、
ことを特徴とするデータ伝送方法。
【請求項２】
前記ターゲットサブフレームは、周波数調整または上り下りの切り替えを行う前の最後のサブフレームであり、前記調整シンボルは、前記最後のサブフレームの最後の２つのＯＦＤＭシンボルであり、または、
前記ターゲットサブフレームは、周波数調整または上り下りの切り替えを行った後の最初のサブフレームであり、前記調整シンボルは、前記最初のサブフレームの最初の２つのＯＦＤＭシンボルであり、または、
前記ターゲットサブフレームは、周波数調整または上り下りの切り替えを行う前の最後のサブフレーム、および周波数調整または上り下りの切り替えを行った後の最初のサブフレームであり、前記調整シンボルは、前記最後のサブフレームの最後のＯＦＤＭシンボル及び前記最初のサブフレームの最初のＯＦＤＭシンボルである、
ことを特徴とする請求項１に記載の方法。
【請求項３】
周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップをさらに含む、
ことを特徴とする請求項１に記載の方法。
【請求項４】
前記第１の情報と前記第２の情報との情報タイプが異なる場合、前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、
前記第１の情報がデータ情報であり、前記第２の情報が制御情報である場合、前記最後のサブフレームを前記ターゲットサブフレームとして決定し、前記調整シンボルが、前記最後のサブフレームの最後の２つのＯＦＤＭシンボルであるステップと、
前記第１の情報が制御情報であり、前記第２の情報がデータ情報である場合、前記最初のサブフレームを前記ターゲットサブフレームとして決定し、前記調整シンボルが、前記最初のサブフレームの最初の２つのＯＦＤＭシンボルであるステップと、を含む、
ことを特徴とする請求項３に記載の方法。
【請求項５】
前記第１の情報と前記第２の情報との情報タイプが同じである場合、前記周波数調整または上り下りの切り替えを行う前の最後のサブフレームにキャリアされる情報及び周波数調整または上り下りの切り替えを行った後の最初のサブフレームにキャリアされる第２の情報に応じて、前記調整シンボルを決定するステップは、
前記最後のサブフレームを前記ターゲットサブフレームとして決定し、前記調整シンボルが、前記最後のサブフレームの最後の２つのＯＦＤＭシンボルであるステップ、または、
前記最初のサブフレームを前記ターゲットサブフレームとして決定し、前記調整シンボルが、前記最初のサブフレームの最初の２つのＯＦＤＭシンボルであるステップ、または、
前記最後のサブフレーム及び前記最初のサブフレームを前記ターゲットサブフレームとして決定し、前記調整シンボルが、前記最後のサブフレームの最後のＯＦＤＭシンボル及び前記最初のサブフレームの最初のＯＦＤＭシンボルであるステップ、を含む、
ことを特徴とする請求項３に記載の方法。
【請求項６】
前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、
前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、前記第１のシンボル設定ポリシーに対応し、
ここで、前記第１のシンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項３に記載の方法。
【請求項７】
前記周波数調整または上り下りの切り替えを行う前の最後のサブフレームにキャリアされる情報及び周波数調整または上り下りの切り替えを行った後の最初のサブフレームにキャリアされる情報に応じて、前記調整シンボルを決定するステップは、
前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、それぞれ異なるシンボル設定ポリシーに対応し、前記第１のシンボル設定ポリシーは前記異なるシンボル設定ポリシーにおけるいずれかのシンボル設定ポリシーであり、
ここで、前記第１の調整シンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項３に記載の方法。
【請求項８】
データ伝送方法であって、ユーザデバイスに適用され、前記方法は、
調整シンボルを含むターゲットサブフレームに対してデータ受信を行う際に、前記ターゲットサブフレームにおける前記調整シンボル内のデータシンボルの受信を放棄するステップであって、前記ターゲットサブフレームは、周波数調整または上り下りの切り替えを行う前の最後のサブフレーム、および／または周波数調整または上り下りの切り替えを行った後の最初のサブフレームであり、前記調整シンボルは、狭帯域周波数の調整時間または上り下りの切り替え調整時間とされる直交周波数分割多重ＯＦＤＭシンボルであるステップと、
データ解析を行う際に、解析された前記ターゲットサブフレームのデータのうち、前記調整シンボルに対応する位置を予め設定された数値で補完するステップと、を含む、
ことを特徴とするデータ伝送方法。
【請求項９】
前記ターゲットサブフレームは、周波数調整または上り下りの切り替えを行う前の最後のサブフレームであり、前記調整シンボルは、前記最後のサブフレームの最後の２つのＯＦＤＭシンボルであり、または、
前記ターゲットサブフレームは、周波数調整または上り下りの切り替えを行った後の最初のサブフレームであり、前記調整シンボルは、前記最初のサブフレームの最初の２つのＯＦＤＭシンボルであり、または、
前記ターゲットサブフレームは、周波数調整または上り下りの切り替えを行う前の最後のサブフレーム、および周波数調整または上り下りの切り替えを行った後の最初のサブフレームであり、前記調整シンボルは、前記最後のサブフレームの最後のＯＦＤＭシンボル及び前記最初のサブフレームの最初のＯＦＤＭシンボルである、
ことを特徴とする請求項８に記載の方法。
【請求項１０】
周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップをさらに含む、
ことを特徴とする請求項８に記載の方法。
【請求項１１】
前記第１の情報と前記第２の情報との情報タイプが異なる場合、前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、
前記第１の情報がデータ情報であり、前記第２の情報が制御情報である場合、前記最後のサブフレームを前記ターゲットサブフレームとして決定し、前記調整シンボルが、前記最後のサブフレームの最後の２つのＯＦＤＭシンボルであるステップと、
前記第１の情報が制御情報であり、前記第２の情報がデータ情報である場合、前記最初のサブフレームを前記ターゲットサブフレームとして決定し、前記調整シンボルが、前記最初のサブフレームの最初の２つのＯＦＤＭシンボルであるステップと、を含む、
ことを特徴とする請求項１０に記載の方法。
【請求項１２】
前記第１の情報と前記第２の情報との情報タイプが同じである場合、前記周波数調整または上り下りの切り替えを行う前の最後のサブフレームにキャリアされる情報及び周波数調整または上り下りの切り替えを行った後の最初のサブフレームにキャリアされる第２の情報に応じて、前記調整シンボルを決定するステップは、
前記最後のサブフレームを前記ターゲットサブフレームとして決定し、前記調整シンボルが、前記最後のサブフレームの最後の２つのＯＦＤＭシンボルであるステップ、または、
前記最初のサブフレームを前記ターゲットサブフレームとして決定し、前記調整シンボルが、前記最初のサブフレームの最初の２つのＯＦＤＭシンボルであるステップ、または、
前記最後のサブフレーム及び前記最初のサブフレームを前記ターゲットサブフレームとして決定し、前記調整シンボルが、前記最後のサブフレームの最後のＯＦＤＭシンボル及び前記最初のサブフレームの最初のＯＦＤＭシンボルであるステップ、を含む、
ことを特徴とする請求項１０に記載の方法。
【請求項１３】
前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、
前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、前記第１のシンボル設定ポリシーに対応し、
ここで、前記第１のシンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項１０に記載の方法。
【請求項１４】
前記周波数調整または上り下りの切り替えを行う前の最後のサブフレームにキャリアされる情報及び周波数調整または上り下りの切り替えを行った後の最初のサブフレームにキャリアされる情報に応じて、前記調整シンボルを決定するステップは、
前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、それぞれ異なるシンボル設定ポリシーに対応し、前記第１のシンボル設定ポリシーは前記異なるシンボル設定ポリシーにおけるいずれかのシンボル設定ポリシーであり、
ここで、前記第１の調整シンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項１０に記載の方法。
【請求項１５】
前記データ解析を行う際に、解析された前記ターゲットサブフレームのデータのうち、前記調整シンボルに対応する位置を予め設定された数値で補完するステップは、
データ解析を行う際に、解析された前記ターゲットサブフレームのデータのうち、前記調整シンボルに対応する位置を１または０で補完するステップを含む、
ことを特徴とする請求項８に記載の方法。
【請求項１６】
データ伝送装置であって、基地局に適用され、前記装置は、
物理下りチャネルのリソースマッピングを行う際に、調整シンボルを含むターゲットサブフレームに対して、データシンボルを前記ターゲットサブフレームのデータ伝送シンボルおよび前記調整シンボルにマッピングするように構成されるリソースマッピングモジュールであって、前記ターゲットサブフレームは、周波数調整または上り下りの切り替えを行う前の最後のサブフレーム、および／または周波数調整または上り下りの切り替えを行った後の最初のサブフレームであり、前記データ伝送シンボルは、データを伝送するための直交周波数分割多重ＯＦＤＭシンボルであり、前記調整シンボルは、狭帯域周波数の調整時間または上り下りの切り替え調整時間とされるＯＦＤＭシンボルであるリソースマッピングモジュールと、
前記ターゲットサブフレームのデータ伝送を行う際に、前記調整シンボル内のデータシンボルの伝送を実行または放棄するように構成されるデータ伝送モジュールと、を含む、
ことを特徴とするデータ伝送装置。
【請求項１７】
前記ターゲットサブフレームは、周波数調整または上り下りの切り替えを行う前の最後のサブフレームであり、前記調整シンボルは、前記最後のサブフレームの最後の２つのＯＦＤＭシンボルであり、または、
前記ターゲットサブフレームは、周波数調整または上り下りの切り替えを行った後の最初のサブフレームであり、前記調整シンボルは、前記最初のサブフレームの最初の２つのＯＦＤＭシンボルであり、または、
前記ターゲットサブフレームは、周波数調整または上り下りの切り替えを行う前の最後のサブフレーム、および周波数調整または上り下りの切り替えを行った後の最初のサブフレームであり、前記調整シンボルは、前記最後のサブフレームの最後のＯＦＤＭシンボル及び前記最初のサブフレームの最初のＯＦＤＭシンボルである、
ことを特徴とする請求項１６に記載の装置。
【請求項１８】
周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するように構成されるシンボル決定モジュールをさらに含む、
ことを特徴とする請求項１６に記載の装置。
【請求項１９】
前記第１の情報と前記第２の情報との情報タイプが異なる場合、前記シンボル決定モジュールは、
前記第１の情報がデータ情報であり、前記第２の情報が制御情報である場合、前記最後のサブフレームを前記ターゲットサブフレームとして決定し、前記調整シンボルが、前記最後のサブフレームの最後の２つのＯＦＤＭシンボルであり、
前記第１の情報が制御情報であり、前記第２の情報がデータ情報である場合、前記最初のサブフレームを前記ターゲットサブフレームとして決定し、前記調整シンボルが前記最初のサブフレームの最初の２つのＯＦＤＭシンボルである、ように構成される、
ことを特徴とする請求項１８に記載の装置。
【請求項２０】
前記第１の情報と前記第２の情報との情報タイプが同じである場合、前記シンボル決定モジュールは、
前記最後のサブフレームを前記ターゲットサブフレームとして決定し、前記調整シンボルが、前記最後のサブフレームの最後の２つのＯＦＤＭシンボルである、または、
前記最初のサブフレームを前記ターゲットサブフレームとして決定し、前記調整シンボルが、前記最初のサブフレームの最初の２つのＯＦＤＭシンボルである、または、
前記最後のサブフレーム及び前記最初のサブフレームを前記ターゲットサブフレームとして決定し、前記調整シンボルが前記最後のサブフレームの最後のＯＦＤＭシンボル及び前記最初のサブフレームの最初のＯＦＤＭシンボルである、ように構成される、
ことを特徴とする請求項１８に記載の装置。
【請求項２１】
前記シンボル決定モジュールは、
前記第１の情報及び第２の情報に対応する第１のシンボル設定ポリシーに従って、前記調整シンボルを決定するように構成され、ここで、前記第１のシンボル設定ポリシーは予め設定されたものであり、前記第１の情報と前記第２の情報との全ての組み合わせは、前記第１のシンボル設定ポリシーに対応し、
ここで、前記第１のシンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項１８に記載の装置。
【請求項２２】
前記シンボル決定モジュールは、
前記第１の情報及び第２の情報に対応する第１のシンボル設定ポリシーに従って、前記調整シンボルを決定するように構成され、ここで、前記第１のシンボル設定ポリシーは予め設定されたものであり、前記第１の情報と前記第２の情報との全ての組み合わせは、それぞれ異なるシンボル設定ポリシーに対応し、前記第１のシンボル設定ポリシーは前記異なるシンボル設定ポリシーにおけるいずれかのシンボル設定ポリシーであり、
ここで、前記第１の調整シンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項１８に記載の装置。
【請求項２３】
データ伝送装置であって、ユーザデバイスに適用され、前記装置は、
調整シンボルを含むターゲットサブフレームに対してデータ受信を行う際に、前記ターゲットサブフレームにおける前記調整シンボル内のデータシンボルの受信を放棄するように構成される受信モジュールであって、前記ターゲットサブフレームは、周波数調整または上り下りの切り替えを行う前の最後のサブフレーム、および／または周波数調整または上り下りの切り替えを行った後の最初のサブフレームであり、前記調整シンボルは、狭帯域周波数の調整時間または上り下りの切り替え調整時間とされる直交周波数分割多重ＯＦＤＭシンボルである受信モジュールと、
データ解析を行う際に、解析された前記ターゲットサブフレームのデータのうち、前記調整シンボルに対応する位置を予め設定された数値で補完するように構成されるデータ解析モジュールと、を含む、
ことを特徴とするデータ伝送装置。
【請求項２４】
前記ターゲットサブフレームは、周波数調整または上り下りの切り替えを行う前の最後のサブフレームであり、前記調整シンボルは、前記最後のサブフレームの最後の２つのＯＦＤＭシンボルであり、または、
前記ターゲットサブフレームは、周波数調整または上り下りの切り替えを行った後の最初のサブフレームであり、前記調整シンボルは、前記最初のサブフレームの最初の２つのＯＦＤＭシンボルであり、または、
前記ターゲットサブフレームは、周波数調整または上り下りの切り替えを行う前の最後のサブフレーム、および周波数調整または上り下りの切り替えを行った後の最初のサブフレームであり、前記調整シンボルは、前記最後のサブフレームの最後のＯＦＤＭシンボル及び前記最初のサブフレームの最初のＯＦＤＭシンボルである、
ことを特徴とする請求項２３に記載の装置。
【請求項２５】
周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するように構成されるシンボル決定モジュールをさらに含む、
ことを特徴とする請求項２３に記載の装置。
【請求項２６】
前記第１の情報と前記第２の情報との情報タイプが異なる場合、前記シンボル決定モジュールは、
前記第１の情報がデータ情報であり、前記第２の情報が制御情報である場合、前記最後のサブフレームを前記ターゲットサブフレームとして決定し、前記調整シンボルが、前記最後のサブフレームの最後の２つのＯＦＤＭシンボルであり、
前記第１の情報が制御情報であり、前記第２の情報がデータ情報である場合、前記最初のサブフレームを前記ターゲットサブフレームとして決定し、前記調整シンボルが前記最初のサブフレームの最初の２つのＯＦＤＭシンボルである、ように構成される、
ことを特徴とする請求項２５に記載の装置。
【請求項２７】
前記第１の情報と前記第２の情報との情報タイプが同じである場合、前記シンボル決定モジュールは、
前記最後のサブフレームを前記ターゲットサブフレームとして決定し、前記調整シンボルが、前記最後のサブフレームの最後の２つのＯＦＤＭシンボルである、または、
前記最初のサブフレームを前記ターゲットサブフレームとして決定し、前記調整シンボルが、前記最初のサブフレームの最初の２つのＯＦＤＭシンボルである、または、
前記最後のサブフレーム及び前記最初のサブフレームを前記ターゲットサブフレームとして決定し、前記調整シンボルが前記最後のサブフレームの最後のＯＦＤＭシンボル及び前記最初のサブフレームの最初のＯＦＤＭシンボルである、ように構成される、
ことを特徴とする請求項２５に記載の装置。
【請求項２８】
前記シンボル決定モジュールは、
前記第１の情報及び第２の情報に対応する第１のシンボル設定ポリシーに従って、前記調整シンボルを決定するように構成され、ここで、前記第１のシンボル設定ポリシーは予め設定されたものであり、前記第１の情報と前記第２の情報との全ての組み合わせは、前記第１のシンボル設定ポリシーに対応し、
ここで、前記第１のシンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項２５に記載の装置。
【請求項２９】
前記シンボル決定モジュールは、
前記第１の情報及び第２の情報に対応する第１のシンボル設定ポリシーに従って、前記調整シンボルを決定するように構成され、ここで、前記第１のシンボル設定ポリシーは予め設定されたものであり、前記第１の情報と前記第２の情報との全ての組み合わせは、それぞれ異なるシンボル設定ポリシーに対応し、前記第１のシンボル設定ポリシーは前記異なるシンボル設定ポリシーにおけるいずれかのシンボル設定ポリシーであり、
ここで、前記第１の調整シンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項２５に記載の装置。
【請求項３０】
前記データ解析モジュールは、
データ解析を行う際に、解析された前記ターゲットサブフレームのデータのうち、前記調整シンボルに対応する位置を１または０で補完するように構成される、
ことを特徴とする請求項２３に記載の装置。
【請求項３１】
データ伝送装置であって、基地局に適用され、
プロセッサと、
前記プロセッサにより実行可能なコンピュータ命令が記憶されるメモリと、を含み、
前記プロセッサは、
物理下りチャネルのリソースマッピングを行う際に、調整シンボルを含むターゲットサブフレームに対して、データシンボルを前記ターゲットサブフレームのデータ伝送シンボルおよび前記調整シンボルにマッピングし、前記ターゲットサブフレームが、周波数調整または上り下りの切り替えを行う前の最後のサブフレーム、および／または周波数調整または上り下りの切り替えを行った後の最初のサブフレームであり、前記データ伝送シンボルが、データを伝送するためのＯＦＤＭシンボルであり、前記調整シンボルが、狭帯域周波数の調整時間または上り下りの切り替え調整時間とされる直交周波数分割多重ＯＦＤＭシンボルであり、
前記ターゲットサブフレームのデータ伝送を行う際に、前記調整シンボル内のデータシンボルの伝送を実行または放棄するように構成される、
ことを特徴とするデータ伝送装置。
【請求項３２】
コンピュータプログラム命令が記憶されているコンピュータ読み取り可能な記憶媒体であって、
当該プログラム命令がプロセッサによって実行される際に、請求項１〜７のいずれかに記載の方法を実現する、
ことを特徴とするコンピュータ読み取り可能な記憶媒体。
【請求項３３】
データ伝送装置であって、ユーザデバイスに適用され、
プロセッサと、
前記プロセッサにより実行可能なコンピュータ命令が記憶されるメモリと、を含み、
前記プロセッサは、
調整シンボルを含むターゲットサブフレームに対してデータ受信を行う際に、前記ターゲットサブフレームにおける前記調整シンボル内のデータシンボルの受信を放棄し、前記ターゲットサブフレームが、周波数調整または上り下りの切り替えを行う前の最後のサブフレーム、および／または周波数調整または上り下りの切り替えを行った後の最初のサブフレームであり、前記調整シンボルが、狭帯域周波数の調整時間または上り下りの切り替え調整時間とされる直交周波数分割多重ＯＦＤＭシンボルであり、
データ解析を行う際に、解析された前記ターゲットサブフレームのデータのうち、前記調整シンボルに対応する位置を予め設定された数値で補完するように構成される、
ことを特徴とするデータ伝送装置。
【請求項３４】
コンピュータプログラム命令が記憶されているコンピュータ読み取り可能な記憶媒体であって、
当該プログラム命令がプロセッサによって実行される際に、請求項８〜１５のいずれかに記載の方法を実現する、
ことを特徴とするコンピュータ読み取り可能な記憶媒体。
【発明の詳細な説明】
【技術分野】
【０００１】
本開示は、通信技術分野に関し、特にデータ伝送方法、装置及び記憶媒体に関する。
【背景技術】
【０００２】
マシン型通信（Ｍａｃｈｉｎｅ  Ｔｙｐｅ  Ｃｏｍｍｕｎｉｃａｔｉｏｎ、ＭＴＣ）とは、人間の介入なしの機械間の通信を指し、スマートシティ（検針など）、スマート農業（温度や湿度などの情報の収集など）、スマート交通（共有自転車／共有車など）など多くの分野で広く利用されている。現在、長期的進化（Ｌｏｎｇ  Ｔｅｒｍ  Ｅｖｏｌｕｔｉｏｎ、ＬＴＥ）システム（主にｒｅｌｅａｓｅ１２〜ｒｅｌｅａｓｅ１３）では基本的なＭＴＣ通信フレームワークが形成されており、低復雑度、低コスト、カバレッジの強化、省電力などの特性をサポートすることができる。従来のＭＴＣシステムは、ＬＴＥシステムの周波数帯域内に配備され（帯域内ＭＴＣと略称することもある）、従来のＬＴＥシステムユーザと周波数リソースおよび一部のチャネルを共有する。帯域内ＭＴＣシステムはＬＴＥ周波数帯域内に配備されるため、リソースマッピングの観点からＬＴＥの既存チャネルとの共存を考慮する必要がある。ＭＴＣ物理下り制御チャネル（ＭＴＣ  Ｐｈｙｓｉｃａｌ  Ｄｏｗｎｌｉｎｋ  Ｃｏｎｔｒｏｌ  Ｃｈａｎｎｅｌ、ＭＰＤＣＣＨ）やＭＴＣ物理下り共有チャネル（Ｐｈｙｓｉｃａｌ  Ｄｏｗｎｌｉｎｋ  Ｓｈａｒｅｄ  Ｃｈａｎｎｅｌ、ＭＰＤＳＣＨ）などのＭＴＣ下りチャネルに対してリソースマッピングを行う場合、既存の制御チャネル領域、すなわちサブフレームの最初の３つの直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルとセル専用リファレンス信号（Ｃｅｌｌ−ｓｐｅｃｉｆｉｃ  Ｒｅｆｅｒｅｎｃｅ  Ｓｉｇｎａｌ、ＣＲＳ）が占める物理リソース上にマッピングされないことが主に考慮される。
【０００３】
ＭＴＣシステムでは、ＭＴＣ端末の通信帯域幅を制限することにより、低複雑度／低コストのサポートを実現する。通常、ＭＴＣシステムは６つの物理リソースブロック（Ｐｈｙｓｉｃａｌ  Ｒｅｓｏｕｒｃｅ  Ｂｌｏｃｋ、ＰＲＢ）の通信帯域幅をサポートすることができる。ＭＴＣシステムの狭帯域通信方式をサポートするために、ｒｅｌｅａｓｅ１３ではシステム帯域幅全体を複数の狭帯域（ｎａｒｒｏｗ  ｂａｎｄ、ＮＢ）に分割し、ユーザはある時刻にそのうちの１つの狭帯域でしか送信または受信できない。別の狭帯域で通信する必要がある場合、このとき受信／送信周波数の調整（すなわちＲＦ  ｒｅｔｕｒｎｉｎｇ）が必要である。ＭＴＣシステムのユーザがある狭帯域から別の狭帯域に調整して送信／受信を行う場合、またはＭＴＣ時分割複信（Ｔｉｍｅ  Ｄｉｖｉｓｉｏｎ  Ｄｕｐｌｅｘｉｎｇ、ＴＤＤ）システムで上り下りの通信を切り替える場合、途中でいくつかの処理時間が必要である。先の第３世代のパートナーシップ計画（３ｒｄ  Ｇｅｎｅｒａｔｉｏｎ  Ｐａｒｔｎｅｒｓｈｉｐ  Ｐｒｏｊｅｃｔ、３ＧＰＰ）の検討では、周波数調整や上り下りの切り替えのようなＲＦ  ｒｅｔｕｒｎｉｎｇには、２つのＯＦＤＭシンボルの切り替え時間が必要であることがすでに約定された。この切り替え時間中、ユーザはデータを受信または送信できない。帯域内ＭＴＣシステムでは、従来のＬＴＥの既存チャネルとの共存を考慮する必要があるため、従来のＬＴＥの制御チャネル領域でＭＴＣの信号をマッピングできず、したがって、従来のＬＴＥの制御チャネル領域の最初の２つのＯＦＤＭシンボルが下り通信での狭帯域切り替え時間またはＴＤＤシステムでの上り下りの切り替え調整時間として事前に確保される。
【０００４】
ただし、現在のＭＴＣシステムはＬＴＥシステムに基づいて配備する必要があるという方式は柔軟性に欠けることを考慮するした上で、現在、業界では（ｒｅｌｅａｓｅ１６で）ＭＴＣシステムを独立して配備すること、例えば独立して配備されたＭＴＣシステムに独立したスペクトル、専用のチャネル／信号を割り当てることを検討し始めている。独立して配備されるＭＴＣはＬＴＥシステムに依存しないため、ＬＴＥシステムの他のチャネルとの共存問題を考慮しなくても良い。したがって、独立配備モードでは、ｒｅｌｅａｓｅ１６のＭＴＣシステムユーザ（またはｒｅｌｅａｓｅ１６のＭＴＣシステムユーザの一部）のＭＰＤＣＣＨ及びＭＰＤＳＣＨは、最初の３つのＯＦＤＭシンボルの使用をサポートすることができる。
【０００５】
ただし、従来の帯域内ＭＴＣシステムは従来のＬＴＥの制御チャネル領域での最初の２つのＯＦＤＭを狭帯域調整時間およびＴＤＤシステムでの上り下りの切り替え調整時間とするため、独立して配備されたＭＴＣシステムに対して、この領域がＭＰＤＣＣＨ及びＭＰＤＳＣＨで占有されている場合、狭帯域周波数調整時間や上り下りの切り替え調整時間をどのように設定するかが現在解決すべき問題である。
【発明の概要】
【発明が解決しようとする課題】
【０００６】
関連技術における問題を克服するために、本開示は、データ伝送方法、装置及び記憶媒体を提供する。
【課題を解決するための手段】
【０００７】
本開示の実施例の第１態様によれば、基地局に適用されるデータ伝送方法を提供し、前記方法は、物理下りチャネルのリソースマッピングを行う際に、調整シンボルを含むターゲットサブフレームに対して、データシンボルを前記ターゲットサブフレームのデータ伝送シンボルおよび前記調整シンボルにマッピングするステップであって、前記ターゲットサブフレームは、周波数調整または上り下りの切り替えを行う前の最後のサブフレーム、および／または周波数調整または上り下りの切り替えを行った後の最初のサブフレームであり、前記データ伝送シンボルは、データを伝送するためのＯＦＤＭシンボルであり、前記調整シンボルは、狭帯域周波数の調整時間または上り下りの切り替え調整時間とされるＯＦＤＭシンボルであるステップと、前記ターゲットサブフレームのデータ伝送を行う際に、前記調整シンボル内のデータシンボルの伝送を実行または放棄するステップと、を含む。
【０００８】
選択可能に、前記ターゲットサブフレームは、周波数調整または上り下りの切り替えを行う前の最後のサブフレームであり、前記調整シンボルは、前記最後のサブフレームの最後の２つのＯＦＤＭシンボルであり、または、前記ターゲットサブフレームは、周波数調整または上り下りの切り替えを行った後の最初のサブフレームであり、前記調整シンボルは、前記最初のサブフレームの最初の２つのＯＦＤＭシンボルであり、または、前記ターゲットサブフレームは、周波数調整または上り下りの切り替えを行う前の最後のサブフレーム、および周波数調整または上り下りの切り替えを行った後の最初のサブフレームであり、前記調整シンボルは、前記最後のサブフレームの最後のＯＦＤＭシンボル及び前記最初のサブフレームの最初のＯＦＤＭシンボルである。
【０００９】
選択可能に、前記方法は、周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップをさらに含む。
【００１０】
選択可能に、前記第１の情報と前記第２の情報との情報タイプが異なる場合、前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、前記第１の情報がデータ情報であり、前記第２の情報が制御情報である場合、前記最後のサブフレームを前記ターゲットサブフレームとして決定し、前記調整シンボルが前記最後のサブフレームの最後の２つのＯＦＤＭシンボルであるステップと、前記第１の情報が制御情報であり、前記第２の情報がデータ情報である場合、前記最初のサブフレームを前記ターゲットサブフレームとして決定し、前記調整シンボルが前記最初のサブフレームの最初の２つのＯＦＤＭシンボルであるステップと、を含む。
【００１１】
選択可能に、前記第１の情報と前記第２の情報との情報タイプが同じである場合、前記周波数調整または上り下りの切り替えを行う前の最後のサブフレームにキャリアされる情報及び周波数調整または上り下りの切り替えを行った後の最初のサブフレームにキャリアされる第２の情報に応じて、前記調整シンボルを決定するステップは、前記最後のサブフレームを前記ターゲットサブフレームとして決定し、前記調整シンボルが前記最後のサブフレームの最後の２つのＯＦＤＭシンボルであるステップ、または、前記最初のサブフレームを前記ターゲットサブフレームとして決定し、前記調整シンボルが前記最初のサブフレームの最初の２つのＯＦＤＭシンボルであるステップ、または、前記最後のサブフレーム及び前記最初のサブフレームを前記ターゲットサブフレームとして決定し、前記調整シンボルが前記最後のサブフレームの最後のＯＦＤＭシンボル及び前記最初のサブフレームの最初のＯＦＤＭシンボルであるステップ、を含む。
【００１２】
選択可能に、前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、前記第１のシンボル設定ポリシーに対応し、ここで、前記第１のシンボル設定ポリシーは、前記最後のサブフレームが前記ターゲットサブフレームであり、前記調整シンボルが前記最後のサブフレームの最後の２つのＯＦＤＭシンボルであること、または、前記最初のサブフレームが前記ターゲットサブフレームであり、前記調整シンボルが前記最初のサブフレームの最初の２つのＯＦＤＭシンボルであること、または、前記最後のサブフレーム及び前記最初のサブフレームが前記ターゲットサブフレームであり、前記調整シンボルが前記最後のサブフレームの最後のＯＦＤＭシンボル及び前記最初のサブフレームの最初のＯＦＤＭシンボルであることを含む。
【００１３】
選択可能に、前記周波数調整または上り下りの切り替えを行う前の最後のサブフレームにキャリアされる情報及び周波数調整または上り下りの切り替えを行った後の最初のサブフレームにキャリアされる情報に応じて、前記調整シンボルを決定するステップは、前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、それぞれ異なるシンボル設定ポリシーに対応し、前記第１のシンボル設定ポリシーは前記異なるシンボル設定ポリシーにおけるいずれかのシンボル設定ポリシーであり、ここで、前記第１の調整シンボル設定ポリシーは、前記最後のサブフレームが前記ターゲットサブフレームであり、前記調整シンボルが前記最後のサブフレームの最後の２つのＯＦＤＭシンボルであること、または、前記最初のサブフレームが前記ターゲットサブフレームであり、前記調整シンボルが前記最初のサブフレームの最初の２つのＯＦＤＭシンボルであること、または、前記最後のサブフレーム及び前記最初のサブフレームが前記ターゲットサブフレームであり、前記調整シンボルが前記最後のサブフレームの最後のＯＦＤＭシンボル及び前記最初のサブフレームの最初のＯＦＤＭシンボルであることを含む。
【００１４】
本開示の実施例の第２態様によれば、データ伝送方法を提供し、前記方法は、調整シンボルを含むターゲットサブフレームに対してデータ受信を行う際に、前記ターゲットサブフレームにおける前記調整シンボル内のデータシンボルの受信を放棄するステップであって、前記ターゲットサブフレームは、周波数調整または上り下りの切り替えを行う前の最後のサブフレーム、および／または周波数調整または上り下りの切り替えを行った後の最初のサブフレームであり、前記調整シンボルは、狭帯域周波数の調整時間または上り下りの切り替え調整時間とされるＯＦＤＭシンボルであるステップと、データ解析を行う際に、解析された前記ターゲットサブフレームのデータのうち、前記調整シンボルに対応する位置を予め設定された数値で補完するステップと、を含む。
【００１５】
選択可能に、前記ターゲットサブフレームは、周波数調整または上り下りの切り替えを行う前の最後のサブフレームであり、前記調整シンボルは、前記最後のサブフレームの最後の２つのＯＦＤＭシンボルであり、または、前記ターゲットサブフレームは、周波数調整または上り下りの切り替えを行った後の最初のサブフレームであり、前記調整シンボルは、前記最初のサブフレームの最初の２つのＯＦＤＭシンボルであり、または、前記ターゲットサブフレームは、周波数調整または上り下りの切り替えを行う前の最後のサブフレーム、および周波数調整または上り下りの切り替えを行った後の最初のサブフレームであり、前記調整シンボルは、前記最後のサブフレームの最後のＯＦＤＭシンボル及び前記最初のサブフレームの最初のＯＦＤＭシンボルである。
【００１６】
選択可能に、前記方法は、周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップをさらに含む。
【００１７】
選択可能に、前記第１の情報と前記第２の情報との情報タイプが異なる場合、前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、前記第１の情報がデータ情報であり、前記第２の情報が制御情報である場合、前記最後のサブフレームを前記ターゲットサブフレームとして決定し、前記調整シンボルが、前記最後のサブフレームの最後の２つのＯＦＤＭシンボルであるステップと、前記第１の情報が制御情報であり、前記第２の情報がデータ情報である場合、前記最初のサブフレームを前記ターゲットサブフレームとして決定し、前記調整シンボルが、前記最初のサブフレームの最初の２つのＯＦＤＭシンボルであるステップと、を含む。
【００１８】
選択可能に、前記第１の情報と前記第２の情報との情報タイプが同じである場合、前記周波数調整または上り下りの切り替えを行う前の最後のサブフレームにキャリアされる情報及び周波数調整または上り下りの切り替えを行った後の最初のサブフレームにキャリアされる第２の情報に応じて、前記調整シンボルを決定するステップは、前記最後のサブフレームを前記ターゲットサブフレームとして決定し、前記調整シンボルが、前記最後のサブフレームの最後の２つのＯＦＤＭシンボルであるステップ、または、前記最初のサブフレームを前記ターゲットサブフレームとして決定し、前記調整シンボルが、前記最初のサブフレームの最初の２つのＯＦＤＭシンボルであるステップ、または、前記最後のサブフレーム及び前記最初のサブフレームを前記ターゲットサブフレームとして決定し、前記調整シンボルが、前記最後のサブフレームの最後のＯＦＤＭシンボル及び前記最初のサブフレームの最初のＯＦＤＭシンボルであるステップ、を含む。
【００１９】
選択可能に、前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、前記第１のシンボル設定ポリシーに対応し、ここで、前記第１のシンボル設定ポリシーは、前記最後のサブフレームが前記ターゲットサブフレームであり、前記調整シンボルが前記最後のサブフレームの最後の２つのＯＦＤＭシンボルであること、または、前記最初のサブフレームが前記ターゲットサブフレームであり、前記調整シンボルが前記最初のサブフレームの最初の２つのＯＦＤＭシンボルであること、または、前記最後のサブフレーム及び前記最初のサブフレームが前記ターゲットサブフレームであり、前記調整シンボルが前記最後のサブフレームの最後のＯＦＤＭシンボル及び前記最初のサブフレームの最初のＯＦＤＭシンボルであることを含む。
【００２０】
選択可能に、前記周波数調整または上り下りの切り替えを行う前の最後のサブフレームにキャリアされる情報及び周波数調整または上り下りの切り替えを行った後の最初のサブフレームにキャリアされる情報に応じて、前記調整シンボルを決定するステップは、前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、それぞれ異なるシンボル設定ポリシーに対応し、前記第１のシンボル設定ポリシーは前記異なるシンボル設定ポリシーにおけるいずれかのシンボル設定ポリシーであり、ここで、前記第１の調整シンボル設定ポリシーは、前記最後のサブフレームが前記ターゲットサブフレームであり、前記調整シンボルが前記最後のサブフレームの最後の２つのＯＦＤＭシンボルであること、または、前記最初のサブフレームが前記ターゲットサブフレームであり、前記調整シンボルが前記最初のサブフレームの最初の２つのＯＦＤＭシンボルであること、または、前記最後のサブフレーム及び前記最初のサブフレームが前記ターゲットサブフレームであり、前記調整シンボルが前記最後のサブフレームの最後のＯＦＤＭシンボル及び前記最初のサブフレームの最初のＯＦＤＭシンボルであることを含む。
【００２１】
選択可能に、前記データ解析を行う際に、解析された前記ターゲットサブフレームのデータのうち、前記調整シンボルに対応する位置を予め設定された数値で補完するステップは、データ解析を行う際に、解析された前記ターゲットサブフレームのデータのうち、前記調整シンボルに対応する位置を１または０で補完するステップを含む。
【００２２】
本開示の実施例の第３態様によれば、基地局に適用されるデータ伝送装置を提供し、前記装置は、物理下りチャネルのリソースマッピングを行う際に、調整シンボルを含むターゲットサブフレームに対して、データシンボルを前記ターゲットサブフレームのデータ伝送シンボルおよび前記調整シンボルにマッピングするように構成されるリソースマッピングモジュールであって、前記データ伝送シンボルは、データを伝送するためのＯＦＤＭシンボルであり、前記調整シンボルは、狭帯域周波数の調整時間または上り下りの切り替え調整時間とされるＯＦＤＭシンボルであるリソースマッピングモジュールと、前記ターゲットサブフレームのデータ伝送を行う際に、前記調整シンボル内のデータシンボルの伝送を実行または放棄するように構成されるデータ伝送モジュールと、を含む。
【００２３】
選択可能に、前記ターゲットサブフレームは、周波数調整または上り下りの切り替えを行う前の最後のサブフレームであり、前記調整シンボルは、前記最後のサブフレームの最後の２つのＯＦＤＭシンボルであり、または、前記ターゲットサブフレームは、周波数調整または上り下りの切り替えを行った後の最初のサブフレームであり、前記調整シンボルは、前記最初のサブフレームの最初の２つのＯＦＤＭシンボルであり、または、前記ターゲットサブフレームは、周波数調整または上り下りの切り替えを行う前の最後のサブフレーム、および周波数調整または上り下りの切り替えを行った後の最初のサブフレームであり、前記調整シンボルは、前記最後のサブフレームの最後のＯＦＤＭシンボル及び前記最初のサブフレームの最初のＯＦＤＭシンボルである。
【００２４】
選択可能に、前記装置は、周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するように構成されるシンボル決定モジュールをさらに含む。
【００２５】
選択可能に、前記第１の情報と前記第２の情報との情報タイプが異なる場合、前記シンボル決定モジュールは、前記第１の情報がデータ情報であり、前記第２の情報が制御情報である場合、前記最後のサブフレームを前記ターゲットサブフレームとして決定し、前記調整シンボルが、前記最後のサブフレームの最後の２つのＯＦＤＭシンボルであり、前記第１の情報が制御情報であり、前記第２の情報がデータ情報である場合、前記最初のサブフレームを前記ターゲットサブフレームとして決定し、前記調整シンボルが前記最初のサブフレームの最初の２つのＯＦＤＭシンボルである、ように構成される。
【００２６】
選択可能に、前記第１の情報と前記第２の情報との情報タイプが同じである場合、前記シンボル決定モジュールは、前記最後のサブフレームを前記ターゲットサブフレームとして決定し、前記調整シンボルが、前記最後のサブフレームの最後の２つのＯＦＤＭシンボルである、または、前記最初のサブフレームを前記ターゲットサブフレームとして決定し、前記調整シンボルが、前記最初のサブフレームの最初の２つのＯＦＤＭシンボルである、または、前記最後のサブフレーム及び前記最初のサブフレームを前記ターゲットサブフレームとして決定し、前記調整シンボルが前記最後のサブフレームの最後のＯＦＤＭシンボル及び前記最初のサブフレームの最初のＯＦＤＭシンボルである、ように構成される。
【００２７】
選択可能に、前記シンボル決定モジュールは、前記第１の情報及び第２の情報に対応する第１のシンボル設定ポリシーに従って、前記調整シンボルを決定するように構成され、ここで、前記第１のシンボル設定ポリシーは予め設定されたものであり、前記第１の情報と前記第２の情報との全ての組み合わせは、前記第１のシンボル設定ポリシーに対応し、ここで、前記第１のシンボル設定ポリシーは、前記最後のサブフレームが前記ターゲットサブフレームであり、前記調整シンボルが前記最後のサブフレームの最後の２つのＯＦＤＭシンボルであること、または、前記最初のサブフレームが前記ターゲットサブフレームであり、前記調整シンボルが前記最初のサブフレームの最初の２つのＯＦＤＭシンボルであること、または、前記最後のサブフレーム及び前記最初のサブフレームが前記ターゲットサブフレームであり、前記調整シンボルが前記最後のサブフレームの最後のＯＦＤＭシンボル及び前記最初のサブフレームの最初のＯＦＤＭシンボルであることを含む。
【００２８】
選択可能に、前記シンボル決定モジュールは、前記第１の情報及び第２の情報に対応する第１のシンボル設定ポリシーに従って、前記調整シンボルを決定するように構成され、ここで、前記第１のシンボル設定ポリシーは予め設定されたものであり、前記第１の情報と前記第２の情報との全ての組み合わせは、それぞれ異なるシンボル設定ポリシーに対応し、前記第１のシンボル設定ポリシーは前記異なるシンボル設定ポリシーにおけるいずれかのシンボル設定ポリシーであり、ここで、前記第１の調整シンボル設定ポリシーは、前記最後のサブフレームが前記ターゲットサブフレームであり、前記調整シンボルが前記最後のサブフレームの最後の２つのＯＦＤＭシンボルであること、または、前記最初のサブフレームが前記ターゲットサブフレームであり、前記調整シンボルが前記最初のサブフレームの最初の２つのＯＦＤＭシンボルであること、または、前記最後のサブフレーム及び前記最初のサブフレームが前記ターゲットサブフレームであり、前記調整シンボルが前記最後のサブフレームの最後のＯＦＤＭシンボル及び前記最初のサブフレームの最初のＯＦＤＭシンボルであることを含む。
【００２９】
本開示の実施例の第４態様によれば、ユーザデバイスに適用されるデータ伝送装置を提供し、前記装置は、調整シンボルを含むターゲットサブフレームに対してデータ受信を行う際に、前記ターゲットサブフレームにおける前記調整シンボル内のデータシンボルの受信を放棄するように構成される受信モジュールであって、前記ターゲットサブフレームは、周波数調整または上り下りの切り替えを行う前の最後のサブフレーム、および／または周波数調整または上り下りの切り替えを行った後の最初のサブフレームであり、前記調整シンボルは、狭帯域周波数の調整時間または上り下りの切り替え調整時間とされるＯＦＤＭシンボルである受信モジュールと、データ解析を行う際に、解析された前記ターゲットサブフレームのデータのうち、前記調整シンボルに対応する位置を予め設定された数値で補完するように構成されるデータ解析モジュールと、を含む。
【００３０】
選択可能に、前記ターゲットサブフレームは、周波数調整または上り下りの切り替えを行う前の最後のサブフレームであり、前記調整シンボルは、前記最後のサブフレームの最後の２つのＯＦＤＭシンボルであり、または、前記ターゲットサブフレームは、周波数調整または上り下りの切り替えを行った後の最初のサブフレームであり、前記調整シンボルは、前記最初のサブフレームの最初の２つのＯＦＤＭシンボルであり、または、前記ターゲットサブフレームは、周波数調整または上り下りの切り替えを行う前の最後のサブフレーム、および周波数調整または上り下りの切り替えを行った後の最初のサブフレームであり、前記調整シンボルは、前記最後のサブフレームの最後のＯＦＤＭシンボル及び前記最初のサブフレームの最初のＯＦＤＭシンボルである。
【００３１】
選択可能に、前記装置は、周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するように構成されるシンボル決定モジュールをさらに含む。
【００３２】
選択可能に、前記第１の情報と前記第２の情報との情報タイプが異なる場合、前記シンボル決定モジュールは、前記第１の情報がデータ情報であり、前記第２の情報が制御情報である場合、前記最後のサブフレームを前記ターゲットサブフレームとして決定し、前記調整シンボルが、前記最後のサブフレームの最後の２つのＯＦＤＭシンボルであり、前記第１の情報が制御情報であり、前記第２の情報がデータ情報である場合、前記最初のサブフレームを前記ターゲットサブフレームとして決定し、前記調整シンボルが前記最初のサブフレームの最初の２つのＯＦＤＭシンボルである、ように構成される。
【００３３】
選択可能に、前記第１の情報と前記第２の情報との情報タイプが同じである場合、前記シンボル決定モジュールは、前記最後のサブフレームを前記ターゲットサブフレームとして決定し、前記調整シンボルが、前記最後のサブフレームの最後の２つのＯＦＤＭシンボルである、または、前記最初のサブフレームを前記ターゲットサブフレームとして決定し、前記調整シンボルが、前記最初のサブフレームの最初の２つのＯＦＤＭシンボルである、または、前記最後のサブフレーム及び前記最初のサブフレームを前記ターゲットサブフレームとして決定し、前記調整シンボルが前記最後のサブフレームの最後のＯＦＤＭシンボル及び前記最初のサブフレームの最初のＯＦＤＭシンボルである、ように構成される。
【００３４】
選択可能に、前記シンボル決定モジュールは、前記第１の情報及び第２の情報に対応する第１のシンボル設定ポリシーに従って、前記調整シンボルを決定するように構成され、ここで、前記第１のシンボル設定ポリシーは予め設定されたものであり、前記第１の情報と前記第２の情報との全ての組み合わせは、前記第１のシンボル設定ポリシーに対応し、ここで、前記第１のシンボル設定ポリシーは、前記最後のサブフレームが前記ターゲットサブフレームであり、前記調整シンボルが前記最後のサブフレームの最後の２つのＯＦＤＭシンボルであること、または、前記最初のサブフレームが前記ターゲットサブフレームであり、前記調整シンボルが前記最初のサブフレームの最初の２つのＯＦＤＭシンボルであること、または、前記最後のサブフレーム及び前記最初のサブフレームが前記ターゲットサブフレームであり、前記調整シンボルが前記最後のサブフレームの最後のＯＦＤＭシンボル及び前記最初のサブフレームの最初のＯＦＤＭシンボルであることを含む。
【００３５】
選択可能に、前記シンボル決定モジュールは、前記第１の情報及び第２の情報に対応する第１のシンボル設定ポリシーに従って、前記調整シンボルを決定するように構成され、ここで、前記第１のシンボル設定ポリシーは予め設定されたものであり、前記第１の情報と前記第２の情報との全ての組み合わせは、それぞれ異なるシンボル設定ポリシーに対応し、前記第１のシンボル設定ポリシーは前記異なるシンボル設定ポリシーにおけるいずれかのシンボル設定ポリシーであり、ここで、前記第１の調整シンボル設定ポリシーは、前記最後のサブフレームが前記ターゲットサブフレームであり、前記調整シンボルが前記最後のサブフレームの最後の２つのＯＦＤＭシンボルであること、または、前記最初のサブフレームが前記ターゲットサブフレームであり、前記調整シンボルが前記最初のサブフレームの最初の２つのＯＦＤＭシンボルであること、または、前記最後のサブフレーム及び前記最初のサブフレームが前記ターゲットサブフレームであり、前記調整シンボルが前記最後のサブフレームの最後のＯＦＤＭシンボル及び前記最初のサブフレームの最初のＯＦＤＭシンボルであることを含む。
【００３６】
選択可能に、前記データ解析モジュールは、データ解析を行う際に、解析された前記ターゲットサブフレームのデータのうち、前記調整シンボルに対応する位置を１または０で補完するように構成される。
【００３７】
本開示の実施例の第５態様によれば、基地局に適用されるデータ伝送装置を提供し、プロセッサと、前記プロセッサにより実行可能なコンピュータ命令が記憶されるメモリと、を含み、前記プロセッサは、物理下りチャネルのリソースマッピングを行う際に、調整シンボルを含むターゲットサブフレームに対して、データシンボルを前記ターゲットサブフレームのデータ伝送シンボルおよび前記調整シンボルにマッピングし、前記ターゲットサブフレームが、周波数調整または上り下りの切り替えを行う前の最後のサブフレーム、および／または周波数調整または上り下りの切り替えを行った後の最初のサブフレームであり、前記データ伝送シンボルが、データを伝送するためのＯＦＤＭシンボルであり、前記調整シンボルが、狭帯域周波数の調整時間または上り下りの切り替え調整時間とされるＯＦＤＭシンボルであり、前記ターゲットサブフレームのデータ伝送を行う際に、前記調整シンボル内のデータシンボルの伝送を実行または放棄するように構成される。
【００３８】
本開示の実施例の第６態様によれば、コンピュータプログラム命令が記憶されているコンピュータ読み取り可能な記憶媒体を提供し、当該プログラム命令がプロセッサによって実行される際に、本開示の第１態様により提供されるマシン型通信システムのアクセス方法のステップを実現する。
【００３９】
本開示の実施例の第７態様によれば、ユーザデバイスに適用されるデータ伝送装置を提供し、プロセッサと、前記プロセッサにより実行可能なコンピュータ命令が記憶されるメモリと、を含み、前記プロセッサは、調整シンボルを含むターゲットサブフレームに対してデータ受信を行う際に、前記ターゲットサブフレームにおける前記調整シンボル内のデータシンボルの受信を放棄し、前記ターゲットサブフレームが、周波数調整または上り下りの切り替えを行う前の最後のサブフレーム、および／または周波数調整または上り下りの切り替えを行った後の最初のサブフレームであり、前記調整シンボルが、狭帯域周波数の調整時間または上り下りの切り替え調整時間とされるＯＦＤＭシンボルであり、データ解析を行う際に、解析された前記ターゲットサブフレームのデータのうち、前記調整シンボルに対応する位置を予め設定された数値で補完するように構成される。
【００４０】
本開示の実施例の第８態様によれば、コンピュータプログラム命令が記憶されているコンピュータ読み取り可能な記憶媒体を提供し、当該プログラム命令がプロセッサによって実行される際に、本開示の第２態様により提供されるマシン型通信システムのアクセス方法のステップを実現する。
【発明の効果】
【００４１】
本開示の実施例によって提供される技術案は、以下の有益な効果を含むことができる。
本開示の実施例によって提供される技術案において、基地局は、物理下りチャネルのリソースマッピングを行う際に、調整シンボルを含むターゲットサブフレームに対して、データシンボルをターゲットサブフレームのデータ伝送シンボルおよび調整シンボルにマッピングし、ターゲットサブフレームのデータ伝送を行う際に、調整シンボル内のデータシンボルの伝送を実行または放棄する。ここで、ターゲットサブフレームは、周波数調整または上り下りの切り替えを行う前の最後のサブフレーム、および／または周波数調整または上り下りの切り替えを行った後の最初のサブフレームであり、データ伝送シンボルは、データを伝送するためのＯＦＤＭシンボルであり、調整シンボルは、狭帯域周波数の調整時間または上り下りの切り替え調整時間とされるＯＦＤＭシンボルであり、対応的に、ユーザデバイスは、調整シンボルを含むターゲットサブフレームに対してデータ受信を行う際に、ターゲットサブフレームにおける調整シンボル内のデータシンボルの受信を放棄し、データ解析を行う際に、解析されたターゲットサブフレームのデータのうち、調整シンボルに対応する位置を予め設定された数値で補完する。したがって、本開示は、独立して配備されたＭＴＣシステムに対する狭帯域周波数調整時間や上り下りの切り替え調整時間の設定案、及びこの調整時間の設定案の下でのデータ伝送方法を提供し、現在独立して配備されたＭＴＣシステムにおいて、制御チャネル領域がＭＰＤＣＣＨ及びＭＰＤＳＣＨで占有されている場合、狭帯域周波数調整時間や上り下りの切り替え調整時間を設定できないという問題を解決することができる。
【００４２】
上記一般的な説明および後述の詳細な説明は例示的および解釈的なものにすぎず、本開示を限定することができないことを理解すべきである。
【図面の簡単な説明】
【００４３】
ここの図面は、本明細書に組み込まれて本明細書の一部を構成し、本開示に適する実施例を示しており、明細書と共に、本開示の原理を説明するに用いられる。
【図１】例示的な一実施例により示されるデータ伝送方法のフローチャートである。
【図２ａ】本開示の例示的な一実施例により示される調整シンボルの位置概略図である。
【図２ｂ】本開示の例示的な一実施例により示されるもう１つの調整シンボルの位置概略図である。
【図２ｃ】本開示の例示的な一実施例により示されるもう１つの調整シンボルの位置概略図である。
【図３】例示的な一実施例により示されるもう１つのデータ伝送方法のフローチャートである。
【図４】例示的な一実施例により示されるもう１つのデータ伝送方法のフローチャートである。
【図５】例示的な一実施例により示されるもう１つのデータ伝送方法のフローチャートである。
【図６】例示的な一実施例により示されるデータ伝送装置のブロック図である。
【図７】例示的な一実施例により示されるもう１つのデータ伝送装置のブロック図である。
【図８】例示的な一実施例により示されるもう１つのデータ伝送装置のブロック図である。
【図９】例示的な一実施例により示されるもう１つのデータ伝送装置のブロック図である。
【図１０】例示的な一実施例により示されるもう１つのデータ伝送装置のブロック図である。
【図１１】例示的な一実施例により示されるもう１つのデータ伝送方法のブロック図である。
【発明を実施するための形態】
【００４４】
ここで、例示的な実施例を詳細に説明し、その例が図面に示される。以下の説明が図面に関連する場合、特に明記されていない限り、異なる図面における同一の数字は、同一または類似する要素を指す。以下の例示的な実施例に記載される実施例は、本開示と一致するすべての実施例を表すものではない。むしろ、それらは、添付の特許請求の範囲で詳述される、本開示の一部と一致する装置の例に過ぎない。
【００４５】
本開示により提供されるデータ伝送方法を紹介する前に、まず、本開示の各実施例に係るアプリケーションシーンについて紹介する。当該アプリケーションシーンは、ＭＴＣシステムを含むことができ、当該ＭＴＣシステムは独立して配備されることができる。ここで、独立して配備されるＭＴＣシステムに対して、独立したスペクトル、専用のチャネル、信号が配置されている。ここではまず当該ＭＴＣシステムの物理チャネルを紹介し、ＭＴＣシステムの物理チャネルは、物理下り制御チャネル（ＭＴＣ  Ｐｈｙｓｉｃａｌ  Ｄｏｗｎｌｉｎｋ  Ｃｏｎｔｒｏｌ  Ｃｈａｎｎｅｌ、ＭＰＤＣＣＨ）、ＭＴＣ物理下り共有チャネル（Ｐｈｙｓｉｃａｌ  Ｄｏｗｎｌｉｎｋ  Ｓｈａｒｅｄ  Ｃｈａｎｎｅｌ、ＭＰＤＳＣＨ）、物理上り制御チャネル（ＭＴＣ  Ｐｈｙｓｉｃａｌ  Ｕｐｌｉｎｋ  Ｃｏｎｔｒｏｌ  Ｃｈａｎｎｅｌ、ＭＰＵＣＣＨ）及びＭＴＣ物理上り共有チャネル（Ｐｈｙｓｉｃａｌ  Ｕｐｌｉｎｋ  Ｓｈａｒｅｄ  Ｃｈａｎｎｅｌ、ＭＰＵＳＣＨ）を含むことができ、ここで、ＭＰＤＣＣＨ及びＭＰＵＣＣＨは、通常、制御情報を伝送することに用いられ、ＭＰＤＳＣＨ及びＭＰＵＳＣＨは、通常、データ情報伝送することに用いられる。上記アプリケーションシーンに基づいて、以下は本開示により提供されるマシン型通信システムのアクセス方法について紹介する。
【００４６】
図１は例示的な一実施例により示されるデータ伝送方法のフローチャートであり、当該方法は、基地局に適用され、図１に示すように、以下のステップを含むことができる。
【００４７】
ステップＳ１１においては、物理下りチャネルのリソースマッピングを行う際に、調整シンボルを含むターゲットサブフレームに対して、データシンボルを当該ターゲットサブフレームのデータ伝送シンボルおよび調整シンボルにマッピングする。
【００４８】
ここで、当該データ伝送シンボルは、データを伝送するためのＯＦＤＭシンボルであり、調整シンボルは、狭帯域周波数の調整時間または上り下りの切り替え調整時間とされるＯＦＤＭシンボルである。当該ターゲットサブフレームは、周波数調整または上り下りの切り替えを行う前の最後のサブフレーム、および／または周波数調整または上り下りの切り替えを行った後の最初のサブフレームであってもよい。すなわち、当該ターゲットサブフレームは、周波数調整または上り下りの切り替えを行う前後の２つのサブフレームのうち少なくとも１つを選択することができ、選択されたターゲットサブフレームが、狭帯域周波数調整時間または上り下りの切り替え調整時間として２つのＯＦＤＭシンボルを提供できることさえ確保できれば良い。ここで、どのサブフレームをターゲットサブフレームとして選択するかをプロトコルで予め定めることができ、当該ターゲットサブフレームおよび調整シンボルの選択依拠は、必要に応じて設定することができ、かつプロトコルで予め定めることができ、これによって、リソースマッピング、データ送信、ユーザがデータを受信するプロセスで、基地局およびユーザデバイスが、どのサブフレームが調整シンボルを含むターゲットサブフレームであるか、および調整シンボルの位置を明確に知ることができるようにする。
【００４９】
システムにおいて、１つのシステムフレームは、１０個のサブフレーム（ｓｕｂｆｒａｍｅ）で構成され、各サブフレームは２つのスロット（ｓｌｏｔ）を含み、各スロットは７個のＯＦＤＭシンボルを含み、すなわち、各サブフレームは１４個のＯＦＤＭシンボルを含む。独立して配備されるＭＴＣシステムにおいて、サブフレームの最初の３つのＯＦＤＭシンボルは、狭帯域周波数調整時間や上り下りの切り替え調整時間として事前に確保される必要がないため、独立して配備されるＭＴＣシステムにおいて、各サブフレーム内の１４個のＯＦＤＭシンボルはデータ伝送に用いられることができる。調整シンボルを含むターゲットサブフレームには、データ伝送シンボルおよび調整シンボルが含まれ、例えば、当該ターゲットサブフレームが周波数調整または上り下りの切り替えを行う前の最後のサブフレームであり、かつ当該最後のサブフレームの最後の２つのＯＦＤＭシンボルが調整シンボルであるとすると、最後のサブフレームの最初の１２個のＯＦＤＭシンボルはデータ伝送シンボルであり、データ伝送に用いられることができる。
【００５０】
また、上記当該物理下りチャネルは、上記ＭＰＤＣＣＨ及びＭＰＤＳＣＨを含むことができる。
【００５１】
ステップＳ１２においては、ターゲットサブフレームのデータ伝送を行う際に、当該調整シンボル内のデータシンボルの伝送を実行または放棄する。
【００５２】
ここで、当該データシンボルは、送信対象のデータを変調することにより取得されるものであり、マッピングされたＯＦＤＭシンボルを介して伝送する必要があるデータと理解されることができる。本実施例において、物理下りチャネルのリソースマッピングを行う際に、依然としてデータシンボルを調整シンボルにマッピングするが、データ伝送を行う際に、当該調整シンボル内のデータシンボルの伝送を放棄してもよい。あるいは、いくつかの場合、当該調整シンボル内のデータシンボルを以依然として伝送することができ、例えば、調整シンボル内に一部のセルの参照シンボルが含まれる場合があり、当該参照シンボルは複数のユーザを対象としている可能性があり、その場合、基地局は引き続き調整シンボル内のデータシンボルを伝送する必要がある。
【００５３】
上記技術案では、独立して配備されたＭＴＣシステムに対する狭帯域周波数調整時間や上り下りの切り替え調整時間の設定案、及びこの調整時間設定案の下でのデータ伝送方法を提供し、現在独立して配備されたＭＴＣシステムにおいて、制御チャネル領域がＭＰＤＣＣＨ及びＭＰＤＳＣＨで占有されている場合、狭帯域周波数調整時間や上り下りの切り替え調整時間を設定できないという問題を解決することができる。
【００５４】
以下、ターゲットサブフレーム及び調整シンボルの設定方法について説明し、第１の可能な実現形態では、どのサブフレームをターゲットサブフレームとして選択するかをプロトコルで予め定めておき、および当該ターゲットサブフレームにおける調整シンボルとされるＯＦＤＭシンボルを定めておくことができ、以下の３つの方案を含むことができる。
【００５５】
ターゲットサブフレームは、周波数調整または上り下りの切り替えを行う前の最後のサブフレームであり、調整シンボルは、当該最後のサブフレームの最後の２つのＯＦＤＭシンボルである。図２ａは本開示の例示的な一実施例により示される調整シンボルの位置概略図であり、図２ａに示すように、周波数調整を例として、調整シンボルは、周波数調整前の最後のサブフレームの最後の２つのＯＦＤＭシンボルである。
【００５６】
または、ターゲットサブフレームは、周波数調整または上り下りの切り替えを行った後の最初のサブフレームであり、調整シンボルは、当該最初のサブフレームの最初の２つのＯＦＤＭシンボルである。図２ｂは本開示の例示的な一実施例により示されるもう１つの調整シンボルの位置概略図であり、図２ｂに示すように、周波数調整を例として、調整シンボルは、周波数調整後の最初のサブフレームの最初の２つのＯＦＤＭシンボルである。
【００５７】
または、ターゲットサブフレームは、周波数調整または上り下りの切り替えを行う前の最後のサブフレーム、および周波数調整または上り下りの切り替えを行った後の最初のサブフレームであり、調整シンボルは、当該最後のサブフレームの最後のＯＦＤＭシンボル及び当該最初のサブフレームの最初のＯＦＤＭシンボルである。図２ｃは本開示の例示的な一実施例により示されるもう１つの調整シンボルの位置概略図であり、図２ｃに示すように、周波数調整を例として、調整シンボルは、周波数調整前の最後のサブフレームの最後のＯＦＤＭシンボル及び周波数調整後の最初のサブフレームの最初のＯＦＤＭシンボルである。
【００５８】
第２の可能な実現形態では、周波数調整または上り下りの切り替えを行う前後の２つのサブフレームにキャリアされる情報に応じて、どのサブフレームをターゲットサブフレームとして選択するかを決定し、当該ターゲットサブフレームにおける調整シンボルとされるＯＦＤＭシンボルを決定することができる。図３は例示的な一実施例により示されるもう１つのデータ伝送方法のフローチャートであり、当該方法は、基地局に適用され、図３に示すように、当該データ伝送方法は、以下のステップを含むことができる。
【００５９】
ステップＳ１３においては、周波数調整または上り下りの切り替えを行う前の最後のサブフレームにキャリアされる第１の情報及び周波数調整または上り下りの切り替えを行った後の最初のサブフレームにキャリアされる第２の情報に応じて、調整シンボルを決定する。
【００６０】
ここで、基地局は、周波数調整または上り下りの切り替えを行う前の最後のサブフレームにキャリアされる第１の情報と、周波数調整または上り下りの切り替えを行った後の最初のサブフレームにキャリアされる第２の情報とが同じであるか異なるかに応じて、同じまたは異なる方案を選択することができる。ここで、周波数調整または上り下りの切り替えを行う前及び切り替えを行った後のサブフレームがキャリア可能な情報は、ＭＰＤＣＣＨメッセージ、ＭＰＵＣＣＨメッセージ、ＭＰＤＳＣＨメッセージ及びＭＰＵＳＣＨメッセージを含むことができる。ここで、ＭＰＤＣＣＨ及びＭＰＵＣＣＨは、通常、制御情報を伝送することに用いられ、ＭＰＤＳＣＨ及びＭＰＵＳＣＨは、通常、データ情報伝送することに用いられる。当該ＭＰＤＣＣＨメッセージは、ＭＰＤＣＣＨによってキャリアされるメッセージまたは情報、すなわちＭＰＤＣＣＨによって伝送されるメッセージまたは情報として理解でき、ＭＰＵＣＣＨメッセージ、ＭＰＤＳＣＨメッセージ及びＭＰＵＳＣＨメッセージも、当該ＭＰＤＣＣＨメッセージと同様である。
【００６１】
したがって、第１の実現案において、第１の情報と第２の情報との情報タイプが異なる場合、データ情報をキャリアするＯＦＤＭシンボルを可能な限り使用できるので、キャリアする情報のタイプがデータ情報であるサブフレームを選択する。当該ステップＳ１３は、第１の情報がデータ情報であり、第２の情報が制御情報である場合、当該最後のサブフレームを前記ターゲットサブフレームとして決定し、調整シンボルは、当該最後のサブフレームの最後の２つのＯＦＤＭシンボルであるステップと、第１の情報が制御情報であり、第２の情報がデータ情報である場合、前記最初のサブフレームをターゲットサブフレームとして決定し、調整シンボルは、当該最初のサブフレームの最初の２つのＯＦＤＭシンボルであるステップと、を含むことができる。
【００６２】
ここで、当該第１の情報および第２の情報は、それぞれ、ＭＰＤＣＣＨメッセージ、ＭＰＵＣＣＨメッセージ、ＭＰＤＳＣＨメッセージ及びＭＰＵＳＣＨメッセージのいずれの情報であってもよい。第１の情報または第２の情報がＭＰＤＣＣＨメッセージまたはＭＰＵＣＣＨメッセージである場合、第１の情報または第２の情報は制御情報であり、第１の情報または第２の情報がＭＰＤＳＣＨメッセージまたはＭＰＵＳＣＨメッセージである場合、第１の情報または第２の情報はデータ情報である。例示的に、表１は、第１の情報および第２の情報が異なるタイプである場合の一部、及びそれぞれの場合における調整シンボルの位置を示している。
【００６３】
【表１】
2021532639.tif 000003
【００６４】
ここで、１ｓｔ、２ｎｄは周波数調整または上り下りの切り替えを行った後の最初のサブフレームにおける最初の２つのＯＦＤＭシンボルを示し（調整シンボルの位置が図２ｂを参照することができる）、１３ｔｈ、１４ｔｈは周波数調整または上り下りの切り替えを行う前の最後のサブフレームにおける最後の２つのＯＦＤＭシンボルを示す（調整シンボルの位置が図２ａを参照することができる）。また、表１に示されるいくつかのケースは、それぞれ第１の情報と第２の情報との情報タイプが異なる場合の一部であり、その他のケースはここでは列挙しない。
【００６５】
上記シンボル設定ポリシーはプロトコルで予め定められることができ、基地局が周波数調整または上り下りの切り替えを行う前後の２つのサブフレームにキャリアされる情報のデータタイプを決定する際に、上記シンボル設定ポリシーに応じてどのサブフレームをターゲットサブフレームとして選択するかを決定し、当該ターゲットサブフレームにおける調整シンボルとされるＯＦＤＭシンボルを決定することができる。
【００６６】
第２の実現案において、第１の情報と第２の情報との情報タイプが同じである場合、すなわち周波数調整または上り下りの切り替えを行う前後の２つのサブフレームにキャリアされる情報がすべてデータ情報またはすべて制御情報である場合、当該ステップＳ１３は、当該最後のサブフレームをターゲットサブフレームとして決定し、調整シンボルは、当該最後のサブフレームの最後の２つのＯＦＤＭシンボルである、または、当該最初のサブフレームをターゲットサブフレームとして決定し、調整シンボルは、当該最初のサブフレームの最初の２つのＯＦＤＭシンボルである、または、当該最後のサブフレーム及び当該最初のサブフレームをターゲットサブフレームとして決定し、調整シンボルは、最後のサブフレームの最後のＯＦＤＭシンボル及び最初のサブフレームの最初のＯＦＤＭシンボルである、という３つの方式のいずれかを含むことができる。
【００６７】
ここで、上記３つの方式は図２ａ〜２ｂに示される方案を参照することができ、そのうちのどちらを採用するかはプロトコルにおいて予め定めておくことができ、すなわちプロトコルにおいて、周波数調整または上り下りの切り替えを行う前後の２つのサブフレームにキャリアされる情報がすべてデータ情報またはすべて制御情報である場合、どのサブフレームをターゲットサブフレームとして選択するか、および当該ターゲットサブフレームにおける調整シンボルとされるＯＦＤＭシンボルを定める。これによって、基地局は周波数調整または上り下りの切り替えを行う前後の２つのサブフレームにキャリアされる情報がすべてデータ情報またはすべて制御情報であると決定すると、ターゲットサブフレーム、及び当該ターゲットサブフレームにおける調整シンボルとされるＯＦＤＭシンボルを決定することができる。
【００６８】
第３の実現案において、周波数調整または上り下りの切り替えを行う前後の２つのサブフレームにキャリアされる情報コンテンツのすべての組み合わせのケースに対して、同一ＯＦＤＭシンボル位置を選択することができる。
【００６９】
対応的に、当該ステップＳ１３は、当該第１の情報及び当該第２の情報に対応する第１のシンボル設定ポリシーに従って、調整シンボルを決定するステップを含み、ここで、当該第１のシンボル設定ポリシーは予め設定されたものであり、当該第１の情報と当該第２の情報との全ての組み合わせは、当該第１のシンボル設定ポリシーに対応する。
【００７０】
ここで、当該第１のシンボル設定ポリシーは、当該最後のサブフレームが当該ターゲットサブフレームであり、当該調整シンボルが当該最後のサブフレームの最後の２つのＯＦＤＭシンボルである、または、当該最初のサブフレームが当該ターゲットサブフレームであり、当該調整シンボルが当該最初のサブフレームの最初の２つのＯＦＤＭシンボルである、または、当該最後のサブフレーム及び当該最初のサブフレームが当該ターゲットサブフレームであり、当該調整シンボルが当該最後のサブフレームの最後のＯＦＤＭシンボル及び当該最初のサブフレームの最初のＯＦＤＭシンボルである、という３つの方式の１つを含む。
【００７１】
ここで、当該第１のシンボル設定ポリシーが具体的に上記３つの方式のどちらを採用するかはプロトコルで予め定められることができ、基地局が周波数調整または上り下りの切り替えを行う前後の２つのサブフレームにキャリアされる情報のデータタイプを決定する際に、当該第１のシンボル設定ポリシーに応じてどのサブフレームをターゲットサブフレームとして選択するかを決定し、当該ターゲットサブフレームにおける調整シンボルとされるＯＦＤＭシンボルを決定することができる。
【００７２】
例えば、この第１の情報は、ＭＰＤＣＣＨメッセージ、ＭＰＵＣＣＨメッセージ、ＭＰＤＳＣＨメッセージ及びＭＰＵＳＣＨメッセージのいずれの情報であってもよく、この第２の情報は、ＭＰＤＣＣＨメッセージ、ＭＰＵＣＣＨメッセージ、ＭＰＤＳＣＨメッセージ及びＭＰＵＳＣＨメッセージのいずれの情報であってもよく、本実施例において、第１の情報および第２の情報が上記情報のうちの任意の二種類の組み合わせのいずれかであっても、同一シンボル設定ポリシーを設定することができる。例示的に、表２は、第１の情報と第２の情報とのコンテンツが同じであるまたは異なる場合の一部、及びそれぞれの場合における調整シンボルの位置を示している。
【００７３】
【表２】
2021532639.tif 000004
【００７４】
ここで、１ｓｔは周波数調整または上り下りの切り替えを行った後の最初のサブフレームにおける最初のＯＦＤＭシンボルを示し、１４ｔｈは周波数調整または上り下りの切り替えを行う前の最後のサブフレームにおける最後のＯＦＤＭシンボルを示す（調整シンボルの位置が図２ｃを参照することができる）。表２に示すように、周波数調整または上り下りの切り替え前後の２つのサブフレームにキャリアされる情報がどのような組み合わせになっても、調整シンボルは、その最初のサブフレームにおける最初のＯＦＤＭシンボル及びその最後のサブフレームにおける最後のＯＦＤＭシンボルである。また、表２に示されるいくつかのケースは、第１の情報と第２の情報との一部の組み合わせであり、残りのケースも同じシンボル設定ポリシーを採用しており、ここでは列挙しない。上記調整シンボルがその第１のサブフレームにおける最初のＯＦＤＭシンボル及びその最後のサブフレームにおける最後のＯＦＤＭシンボルであることも例示であり、例えば、当該最初のサブフレームにおける最初の２つのＯＦＤＭシンボルまたは最後のサブフレームにおける最後の２つのＯＦＤＭシンボルであってもよい。
【００７５】
第４の実現案において、周波数調整または上り下りの切り替え前後の２つのサブフレームにキャリアされる情報コンテンツの異なる組み合わせのケースに対して、異なるＯＦＤＭシンボル位置を選択することができる。対応的に、当該ステップＳ１３は、当該第１の情報及び当該第２の情報に対応する第１のシンボル設定ポリシーに従って、調整シンボルを決定するステップを含み、ここで、当該第１のシンボル設定ポリシーは予め設定されたものであり、当該第１の情報と当該第２の情報との異なる組み合わせは、それぞれ異なるシンボル設定ポリシーに対応し、当該第１のシンボル設定ポリシーは当該異なるシンボル設定ポリシーにおけるいずれかのシンボル設定ポリシーである。
【００７６】
ここで、第１の調整シンボル設定ポリシーは、当該最後のサブフレームが前記ターゲットサブフレームであり、調整シンボルが当該最後のサブフレームの最後の２つのＯＦＤＭシンボルである、または、当該最初のサブフレームが前記ターゲットサブフレームであり、当該調整シンボルが当該最初のサブフレームの最初の２つのＯＦＤＭシンボルである、または、当該最後のサブフレーム及び当該最初のサブフレームが前記ターゲットサブフレームであり、当該調整シンボルが当該最後のサブフレームの最後のＯＦＤＭシンボル及び当該最初のサブフレームの最初のＯＦＤＭシンボルである、という３つの方式の１つを含むことができる。
【００７７】
ここで、当該第１の情報と当該第２の情報との異なる組み合わせは、それぞれ異なるシンボル設定ポリシーに対応することは、当該第１の情報と当該第２の情報との異なる組み合わせに対して、上記３つの方式のいずれかを選択して対応する調整シンボルとして設定することができ、且つ当該第１の情報および当該第２の情報のどの組み合わせが上記３つの方式のどちらを採用するかをプロトコルで予め定められることができ、基地局が周波数調整または上り下りの切り替えを行う前後の２つのサブフレームにキャリアされる情報のデータタイプを決定する際に、当該第１のシンボル設定ポリシーに応じてどのサブフレームをターゲットサブフレームとして選択するかを決定し、および当該ターゲットサブフレームにおける調整シンボルとされるＯＦＤＭシンボルを決定できると理解されることができる。例示的に、表３は、第１の情報と第２の情報とのコンテンツのいくつかの組み合わせ、及び各組み合わせに対応する調整シンボルの位置を示している。
【００７８】
【表３】
2021532639.tif 000005
【００７９】
ここで、１ｓｔは周波数調整または上り下りの切り替えを行った後の最初のサブフレームにおける最初のＯＦＤＭシンボルを示し、１４ｔｈは周波数調整または上り下りの切り替えを行う前の最後のサブフレームにおける最後のＯＦＤＭシンボルを示し（調整シンボルの位置が図２ｃを参照することができる）、１ｓｔ、２ｎｄは周波数調整または上り下りの切り替えを行った後の最初のサブフレームにおける最初の２つのＯＦＤＭシンボルを示す（調整シンボルの位置が図２ｂを参照することができる）。表３に示すように、周波数調整または上り下りの切り替えを行う前後の２つのサブフレームにキャリアされる情報の組み合わせが異なる場合、異なる位置のＯＦＤＭシンボルを調整シンボルとして採用する。また、表３に示されるいくつかのケースは、それぞれ第１の情報と第２の情報との一部の組み合わせであり、その他のケースはここでは列挙しない。表３に示される調整シンボルの位置は例示的なものであり、これに限定されるものではない。例えば、選択可能に、表３を表４に示される調整シンボル設定ポリシーに変更することもできる。
【００８０】
【表４】
2021532639.tif 000006
【００８１】
図４は例示的な一実施例により示されるもう１つのデータ伝送方法のフローチャートであり、当該方法は、ユーザデバイスに適用され、図４に示すように、当該方法は、以下のステップを含むことができる。
【００８２】
ステップＳ４１、調整シンボルを含むターゲットサブフレームに対してデータ受信を行う際に、ターゲットサブフレームにおける調整シンボル内のデータシンボルの受信を放棄する。
【００８３】
ここで、当該ターゲットサブフレームは、周波数調整または上り下りの切り替えを行う前の最後のサブフレーム、および／または周波数調整または上り下りの切り替えを行った後の最初のサブフレームであり、当該調整シンボルは、狭帯域周波数の調整時間または上り下りの切り替え調整時間とされるＯＦＤＭシンボルである。ここで、当該ターゲットサブフレームおよび調整シンボルの選択依拠は、必要に応じて設定されることができ、かつプロトコルで予め定めることができ、これによって、リソースマッピング、データ送信、ユーザがデータを受信するプロセスで、基地局およびユーザデバイスが、どのサブフレームが調整シンボルを含むターゲットサブフレームであるか、および調整シンボルの位置を明確に知ることができるようにする。したがって、ユーザデバイスは当該ターゲットサブフレームを受信するときに、当該ターゲットサブフレームにおけるどちら（または、どの２つ）のＯＦＤＭシンボルが調整シンボルであるかを知ることができ、それによって当該調整シンボルのデータの受信を放棄する。
【００８４】
ステップＳ４２、データ解析を行う際に、解析されたターゲットサブフレームのデータのうち、調整シンボルに対応する位置を予め設定された数値で補完する。
【００８５】
ここで、データを受信するときに、調整シンボルのデータを放棄するため、解析されたデータが不完全であり、解析されたデータを補完することができる。
【００８６】
例示的に、当該予め設定された数値は０または１であってもよく、対応的に、ステップＳ４２は、データ解析を行う際に、解析されたターゲットサブフレームのデータのうち、調整シンボルに対応する位置を１または０で補完するステップを含むことができる。
【００８７】
すなわち、当該ターゲットサブフレームの欠けるデータに対して、調整シンボルに対応する位置に従ってビットで１または０を補完することができる。１つのＯＦＤＭシンボルで１０個のデータシンボルを伝送できるとすると、各サブフレームには１４個のＯＦＤＭシンボルが含まれているので、１つのＯＦＤＭシンボルで１４０個のデータシンボルを伝送することができる。調整シンボルを含むターゲットサブフレームが周波数調整または上り下りの切り替えを行う前の最後のサブフレームであり、調整シンボルが当該最後のサブフレームの最後の２つのＯＦＤＭシンボルである（図２ａに示される構成を参照することができる）とすると、ユーザデバイスがデータ伝送を行う際に、この最後の２つのＯＦＤＭシンボル上のデータシンボルを放棄するため、取得された当該サブフレームのデータは１２０個のデータシンボルを含み、完全なデータは１４０個のデータシンボルであるので、１２１〜１４０番目のデータシンボルが存在する位置は欠落しており、データの完全性を保証するために、最後の２つのＯＦＤＭシンボルに対応する位置を１または０で補完する、すなわち１２１〜１４０番目のデータシンボルが存在する位置を１または０で補完する。ここで、１または０で補完することは必要に応じて設定することができる。
【００８８】
上記技術案では、独立して配備されたＭＴＣシステムに対する狭帯域周波数調整時間や上り下りの切り替え調整時間の設定案、及びこの調整時間設定案の下でのデータ伝送方法を提供し、現在独立して配備されたＭＴＣシステムにおいて、制御チャネル領域がＭＰＤＣＣＨ及びＭＰＤＳＣＨで占有されている場合、狭帯域周波数調整時間や上り下りの切り替え調整時間を設定できないという問題を解決することができる。
【００８９】
以下、ターゲットサブフレーム及び調整シンボルの設定方法について説明し、第１の可能な実現形態では、どのサブフレームをターゲットサブフレームとして選択するかをプロトコルで予め定めておき、および当該ターゲットサブフレームにおける調整シンボルとされるＯＦＤＭシンボルを定めておくことができ、ここでは、ターゲットサブフレームが、周波数調整または上り下りの切り替えを行う前の最後のサブフレームであり、調整シンボルが当該最後のサブフレームの最後の２つのＯＦＤＭシンボルである（図２ａを参照することができる）、または、ターゲットサブフレームが周波数調整または上り下りの切り替えを行った後の最初のサブフレームであり、調整シンボルが当該最初のサブフレームの最初の２つのＯＦＤＭシンボルである（図２ｂを参照することができる）、または、ターゲットサブフレームが周波数調整または上り下りの切り替えを行う前の最後のサブフレーム、および周波数調整または上り下りの切り替えを行った後の最初のサブフレームであり、調整シンボルが当該最後のサブフレームの最後のＯＦＤＭシンボル及び当該最初のサブフレームの最初のＯＦＤＭシンボルである（図２ｃを参照することができる）、という３つの方案を含むことができる。
【００９０】
第２の可能な実現形態では、周波数調整または上り下りの切り替えを行う前後の２つのサブフレームにキャリアされる情報に応じて、どのサブフレームをターゲットサブフレームとして選択するかを決定し、当該ターゲットサブフレームにおける調整シンボルとされるＯＦＤＭシンボルを決定することができる。図５は例示的な一実施例により示されるもう１つのデータ伝送方法のフローチャートであり、当該方法は、ユーザデバイスに適用され、図５に示すように、当該データ伝送方法は、以下のステップを含むことができる。
【００９１】
ステップＳ４３においては、周波数調整または上り下りの切り替えを行う前の最後のサブフレームにキャリアされる第１の情報及び周波数調整または上り下りの切り替えを行った後の最初のサブフレームにキャリアされる第２の情報に応じて、調整シンボルを決定する。
【００９２】
ここで、ユーザデバイスは、周波数調整または上り下りの切り替えを行う前の最後のサブフレームにキャリアされる第１の情報と、周波数調整または上り下りの切り替えを行った後の最初のサブフレームにキャリアされる第２の情報とが同じであるか異なるかに応じて、同じまたは異なる方案を選択することができる。ここで、周波数調整または上り下りの切り替えを行う前及び切り替えを行った後のサブフレームがキャリア可能な情報は、ＭＰＤＣＣＨ、ＭＰＵＣＣＨ、ＭＰＤＳＣＨ及びＭＰＵＳＣＨを含むことができる。ここで、ＭＰＤＣＣＨ及びＭＰＵＣＣＨは、通常、制御情報を伝送することに用いられ、ＭＰＤＳＣＨ及びＭＰＵＳＣＨは、通常、データ情報伝送することに用いられる。
【００９３】
なお、周波数調整または上り下りの切り替えを行う前に、ユーザデバイスは、受信したスケジューリング情報に基づいて、周波数調整または上り下りの切り替えを行うタイミング、及び周波数調整または上り下りの切り替えを行う前後のサブフレームにキャリアされる情報を知ることができる。
【００９４】
したがって、第１の実現案において、第１の情報と第２の情報との情報タイプが異なる場合、データ情報をキャリアするＯＦＤＭシンボルを可能な限り使用できるので、携帯情報タイプがデータ情報であるサブフレームを選択する。当該ステップＳ４３は、第１の情報がデータ情報であり、第２の情報が制御情報である場合、当該最後のサブフレームを前記ターゲットサブフレームとして決定し、調整シンボルは、当該最後のサブフレームの最後の２つのＯＦＤＭシンボルであるステップと、第１の情報が制御情報であり、第２の情報がデータ情報である場合、前記最初のサブフレームをターゲットサブフレームとして決定し、調整シンボルは、当該最初のサブフレームの最初の２つのＯＦＤＭシンボルであるステップと、を含むことができる。
【００９５】
ここで、この第１の情報および第２の情報は、それぞれ、ＭＰＤＣＣＨ、ＭＰＵＣＣＨ、ＭＰＤＳＣＨ及びＭＰＵＳＣＨのいずれの情報であってもよい。第１の情報または第２の情報がＭＰＤＣＣＨまたはＭＰＵＣＣＨである場合、第１の情報または第２の情報は制御情報であり、第１の情報または第２の情報がＭＰＤＳＣＨまたはＭＰＵＳＣＨである場合、第１の情報または第２の情報はデータ情報である。例示的に、表１および表１に対する説明を参照することができるので、ここでは説明を省略する。
【００９６】
上記シンボル設定ポリシーはプロトコルで予め定められることができ、ユーザデバイスが周波数調整または上り下りの切り替えを行う前後の２つのサブフレームにキャリアされる情報のデータタイプを決定する際に、上記シンボル設定ポリシーに応じてどのサブフレームが調整シンボルを含むターゲットサブフレームであるかを決定し、当該ターゲットサブフレームにおける調整シンボルとされるＯＦＤＭシンボルを決定することができる。
【００９７】
第２の実現案において、第１の情報と第２の情報との情報タイプが同じである場合、すなわち周波数調整または上り下りの切り替えを行う前後の２つのサブフレームにキャリアされる情報がすべてデータ情報またはすべて制御情報である場合、当該ステップＳ４３は、当該最後のサブフレームをターゲットサブフレームとして決定し、調整シンボルが当該最後のサブフレームの最後の２つのＯＦＤＭシンボルである、または、当該最初のサブフレームをターゲットサブフレームとして決定し、調整シンボルが当該最初のサブフレームの最初の２つのＯＦＤＭシンボルである、または、当該最後のサブフレーム及び当該最初のサブフレームをターゲットサブフレームとして決定し、調整シンボルが最後のサブフレームの最後のＯＦＤＭシンボル及び最初のサブフレームの最初のＯＦＤＭシンボルである、という３つの方式のいずれかを含むことができる。
【００９８】
ここで、上記３つの方式は図２ａ〜２ｂに示される方案を参照でき、そのうちのどちらを採用するかはプロトコルにおいて予め定めておくことができ、すなわちプロトコルで、周波数調整または上り下りの切り替えを行う前後の２つのサブフレームにキャリアされる情報がすべてデータ情報またはすべて制御情報である場合、どのサブフレームをターゲットサブフレームとして選択するかを定め、当該ターゲットサブフレームにおける調整シンボルとされるＯＦＤＭシンボルを定める。これによって、ユーザデバイスは周波数調整または上り下りの切り替えを行う前後の２つのサブフレームにキャリアされる情報がすべてデータ情報またはすべて制御情報であるときに、どのサブフレームがターゲットサブフレームであるか及び当該ターゲットサブフレームにおける調整シンボルとされるＯＦＤＭシンボルを決定することができる。
【００９９】
第３の実現案において、周波数調整または上り下りの切り替えを行う前後の２つのサブフレームにキャリアされる情報コンテンツのすべての組み合わせのケースに対して、同一ＯＦＤＭシンボル位置を選択することができる。
【０１００】
対応的に、当該ステップＳ４３は、当該第１の情報及び当該第２の情報に対応する第１のシンボル設定ポリシーに従って、調整シンボルを決定するステップを含み、ここで、当該第１のシンボル設定ポリシーは予め設定されたものであり、当該第１の情報と当該第２の情報との全ての組み合わせは、当該第１のシンボル設定ポリシーに対応する。
【０１０１】
ここで、当該第１のシンボル設定ポリシーは、当該最後のサブフレームが当該ターゲットサブフレームであり、当該調整シンボルが、当該最後のサブフレームの最後の２つのＯＦＤＭシンボルである、または、当該最初のサブフレームが当該ターゲットサブフレームであり、当該調整シンボルが、当該最初のサブフレームの最初の２つのＯＦＤＭシンボルである、または、当該最後のサブフレーム及び当該最初のサブフレームが当該ターゲットサブフレームであり、当該調整シンボルが、当該最後のサブフレームの最後のＯＦＤＭシンボル及び当該最初のサブフレームの最初のＯＦＤＭシンボルである、という３つの方式の１つを含む。
【０１０２】
ここで、当該第１のシンボル設定ポリシーは具体的に上記３つの方式のどちらを採用するかをプロトコルで予め定められることができ、ユーザデバイスが周波数調整または上り下りの切り替えを行う前後の２つのサブフレームにキャリアされる情報のデータタイプを決定する際に、当該第１のシンボル設定ポリシーに応じてどのサブフレームがターゲットサブフレームであるかを決定し、当該ターゲットサブフレームにおける調整シンボルとされるＯＦＤＭシンボルを決定することができる。例示的に、表２及び表２に対する説明を参照することができるので、ここでは説明を省略する。
【０１０３】
第４の実現案において、周波数調整または上り下りの切り替え前後の２つのサブフレームにキャリアされる情報コンテンツの異なる組み合わせのケースに対して、異なるＯＦＤＭシンボル位置を選択することができる。対応的に、当該ステップＳ４３は、当該第１の情報及び当該第２の情報に対応する第１のシンボル設定ポリシーに従って、調整シンボルを決定するステップを含み、ここで、当該第１のシンボル設定ポリシーは予め設定されたものであり、当該第１の情報と当該第２の情報との異なる組み合わせは、それぞれ異なるシンボル設定ポリシーに対応し、当該第１のシンボル設定ポリシーは当該異なるシンボル設定ポリシーにおけるいずれかのシンボル設定ポリシーである。
【０１０４】
ここで、第１の調整シンボル設定ポリシーは、当該最後のサブフレームが前記ターゲットサブフレームであり、調整シンボルが当該最後のサブフレームの最後の２つのＯＦＤＭシンボルである、または、当該最初のサブフレームが前記ターゲットサブフレームであり、当該調整シンボルが当該最初のサブフレームの最初の２つのＯＦＤＭシンボルである、または、当該最後のサブフレーム及び当該最初のサブフレームが前記ターゲットサブフレームであり、当該調整シンボルが当該最後のサブフレームの最後のＯＦＤＭシンボル及び当該最初のサブフレームの最初のＯＦＤＭシンボルである、という３つの方式の１つを含むことができる。
【０１０５】
ここで、当該第１の情報と当該第２の情報との異なる組み合わせは、それぞれ異なるシンボル設定ポリシーに対応することは、当該第１の情報と当該第２の情報との異なる組み合わせに対して、上記３つの方式のいずれかを選択して対応する調整シンボルとして設定でき、且つ当該第１の情報および当該第２の情報のどの組み合わせが上記３つの方式のどちらを採用するかをプロトコルで予め定められることができ、ユーザデバイスが周波数調整または上り下りの切り替えを行う前後の２つのサブフレームにキャリアされる情報のデータタイプを決定する際に、当該第１のシンボル設定ポリシーに応じてどのサブフレームがターゲットサブフレームであるかを決定し、当該ターゲットサブフレームにおける調整シンボルとされるＯＦＤＭシンボルを決定できると理解されることができる。例示的に、表３、表４及び表３、表４に対する説明を参照することができる。
【０１０６】
上記技術案において、基地局は、物理下りチャネルのリソースマッピングを行う際に、調整シンボルを含むターゲットサブフレームに対して、データシンボルをターゲットサブフレームのデータ伝送シンボルおよび調整シンボルにマッピングし、ターゲットサブフレームのデータ伝送を行う際に、調整シンボル内のデータシンボルの伝送を実行または放棄する。ここで、ターゲットサブフレームは、周波数調整または上り下りの切り替えを行う前の最後のサブフレーム、および／または周波数調整または上り下りの切り替えを行った後の最初のサブフレームであり、データ伝送シンボルは、データを伝送するためのＯＦＤＭシンボルであり、調整シンボルは、狭帯域周波数の調整時間または上り下りの切り替え調整時間とされるＯＦＤＭシンボルであり、対応的に、ユーザデバイスは、調整シンボルを含むターゲットサブフレームに対してデータ受信を行う際に、ターゲットサブフレームにおける調整シンボル内のデータシンボルの受信を放棄し、データ解析を行う際に、解析されたターゲットサブフレームのデータのうち、調整シンボルに対応する位置を予め設定された数値で補完する。したがって、本開示は、独立して配備されたＭＴＣシステムに対する狭帯域周波数調整時間や上り下りの切り替え調整時間の設定案、及びこの調整時間設定案の下でのデータ伝送方法を提供し、現在独立して配備されたＭＴＣシステムにおいて、制御チャネル領域がＭＰＤＣＣＨ及びＭＰＤＳＣＨで占有されている場合、狭帯域周波数調整時間や上り下りの切り替え調整時間を設定できないという問題を解決することができる。
【０１０７】
図６は例示的な一実施例により示されるデータ伝送装置のブロック図であり、当該装置は、基地局に適用され、図６に示すように、当該装置６００は、物理下りチャネルのリソースマッピングを行う際に、調整シンボルを含むターゲットサブフレームに対して、データシンボルを当該ターゲットサブフレームのデータ伝送シンボルおよび当該調整シンボルにマッピングするように構成されるリソースマッピングモジュール６０１であって、当該ターゲットサブフレームは、周波数調整または上り下りの切り替えを行う前の最後のサブフレーム、および／または周波数調整または上り下りの切り替えを行った後の最初のサブフレームであり、当該データ伝送シンボルは、データを伝送するためのＯＦＤＭシンボルであり、当該調整シンボルは、狭帯域周波数の調整時間または上り下りの切り替え調整時間とされるＯＦＤＭシンボルであるリソースマッピングモジュール６０１と、当該ターゲットサブフレームのデータ伝送を行う際に、当該調整シンボル内のデータシンボルの伝送を実行または放棄するように構成されるデータ伝送モジュール６０２と、を含む。
【０１０８】
選択可能に、当該ターゲットサブフレームは、周波数調整または上り下りの切り替えを行う前の最後のサブフレームであり、当該調整シンボルは、当該最後のサブフレームの最後の２つのＯＦＤＭシンボルであり、または、当該ターゲットサブフレームは、周波数調整または上り下りの切り替えを行った後の最初のサブフレームであり、当該調整シンボルは、当該最初のサブフレームの最初の２つのＯＦＤＭシンボルであり、または、当該ターゲットサブフレームは、周波数調整または上り下りの切り替えを行う前の最後のサブフレーム、および周波数調整または上り下りの切り替えを行った後の最初のサブフレームであり、当該調整シンボルは、当該最後のサブフレームの最後のＯＦＤＭシンボル及び当該最初のサブフレームの最初のＯＦＤＭシンボルである。
【０１０９】
選択可能に、図７は例示的な一実施例により示されるもう１つのデータ伝送装置のブロック図であり、当該装置は、基地局に適用され、図７に示すように、当該装置６００は、周波数調整または上り下りの切り替えを行う前の最後のサブフレームにキャリアされる第１の情報及び周波数調整または上り下りの切り替えを行った後の最初のサブフレームにキャリアされる第２の情報に応じて、当該調整シンボルを決定するように構成されるシンボル決定モジュール６０３をさらに含む。
【０１１０】
選択可能に、当該第１の情報と当該第２の情報との情報タイプが異なる場合、当該シンボル決定モジュール６０３は、当該第１の情報がデータ情報であり、当該第２の情報が制御情報である場合、当該最後のサブフレームを当該ターゲットサブフレームとして決定し、当該調整シンボルが、当該最後のサブフレームの最後の２つのＯＦＤＭシンボルであり、当該第１の情報が制御情報であり、当該第２の情報がデータ情報である場合、当該最初のサブフレームを当該ターゲットサブフレームとして決定し、当該調整シンボルが当該最初のサブフレームの最初の２つのＯＦＤＭシンボルである、ように構成される。
【０１１１】
選択可能に、当該第１の情報と当該第２の情報との情報タイプが同じである場合、当該シンボル決定モジュール６０３は、当該最後のサブフレームを当該ターゲットサブフレームとして決定し、当該調整シンボルが、当該最後のサブフレームの最後の２つのＯＦＤＭシンボルである、または、当該最初のサブフレームを当該ターゲットサブフレームとして決定し、当該調整シンボルが、当該最初のサブフレームの最初の２つのＯＦＤＭシンボルである、または、当該最後のサブフレーム及び当該最初のサブフレームを当該ターゲットサブフレームとして決定し、当該調整シンボルが当該最後のサブフレームの最後のＯＦＤＭシンボル及び当該最初のサブフレームの最初のＯＦＤＭシンボルである、ように構成される。
【０１１２】
選択可能に、当該シンボル決定モジュール６０３は、当該第１の情報及び第２の情報に対応する第１のシンボル設定ポリシーに従って、当該調整シンボルを決定するように構成され、ここで、当該第１のシンボル設定ポリシーは予め設定されたものであり、当該第１の情報と当該第２の情報との全ての組み合わせは、当該第１のシンボル設定ポリシーに対応し、ここで、当該第１のシンボル設定ポリシーは、当該最後のサブフレームが当該ターゲットサブフレームであり、当該調整シンボルが、当該最後のサブフレームの最後の２つのＯＦＤＭシンボルであること、または、当該最初のサブフレームが当該ターゲットサブフレームであり、当該調整シンボルが、当該最初のサブフレームの最初の２つのＯＦＤＭシンボルであること、または、当該最後のサブフレーム及び当該最初のサブフレームが当該ターゲットサブフレームであり、当該調整シンボルが、当該最後のサブフレームの最後のＯＦＤＭシンボル及び当該最初のサブフレームの最初のＯＦＤＭシンボルであることを含む。
【０１１３】
選択可能に、当該シンボル決定モジュール６０３は、当該第１の情報及び第２の情報に対応する第１のシンボル設定ポリシーに従って、当該調整シンボルを決定するように構成され、ここで、当該第１のシンボル設定ポリシーは予め設定されたものであり、当該第１の情報と当該第２の情報との全ての組み合わせは、それぞれ異なるシンボル設定ポリシーに対応し、当該第１のシンボル設定ポリシーは当該異なるシンボル設定ポリシーにおけるいずれかのシンボル設定ポリシーであり、ここで、当該第１の調整シンボル設定ポリシーは、当該最後のサブフレームが当該ターゲットサブフレームであり、当該調整シンボルが、当該最後のサブフレームの最後の２つのＯＦＤＭシンボルであること、または、当該最初のサブフレームが当該ターゲットサブフレームであり、当該調整シンボルが、当該最初のサブフレームの最初の２つのＯＦＤＭシンボルであること、または、当該最後のサブフレーム及び当該最初のサブフレームが当該ターゲットサブフレームであり、当該調整シンボルが、当該最後のサブフレームの最後のＯＦＤＭシンボル及び当該最初のサブフレームの最初のＯＦＤＭシンボルであることを含む。
【０１１４】
図８は例示的な一実施例により示されるもう１つのデータ伝送装置のブロック図であり、当該装置は、ユーザデバイスに適用され、図８に示すように、当該装置８００は、調整シンボルを含むターゲットサブフレームに対してデータ受信を行う際に、当該ターゲットサブフレームにおける当該調整シンボル内のデータシンボルの受信を放棄するように構成される受信モジュール８０１であって、当該ターゲットサブフレームは、周波数調整または上り下りの切り替えを行う前の最後のサブフレーム、および／または周波数調整または上り下りの切り替えを行った後の最初のサブフレームであり、当該調整シンボルは、狭帯域周波数の調整時間または上り下りの切り替え調整時間とされるＯＦＤＭシンボルである受信モジュール８０１と、データ解析を行う際に、解析された当該ターゲットサブフレームのデータのうち、当該調整シンボルに対応する位置を予め設定された数値で補完するように構成されるデータ解析モジュール８０２と、を含む。
【０１１５】
選択可能に、当該ターゲットサブフレームは、周波数調整または上り下りの切り替えを行う前の最後のサブフレームであり、当該調整シンボルは、当該最後のサブフレームの最後の２つのＯＦＤＭシンボルであり、または、当該ターゲットサブフレームは、周波数調整または上り下りの切り替えを行った後の最初のサブフレームであり、当該調整シンボルは、当該最初のサブフレームの最初の２つのＯＦＤＭシンボルであり、または、当該ターゲットサブフレームは、周波数調整または上り下りの切り替えを行う前の最後のサブフレーム、および周波数調整または上り下りの切り替えを行った後の最初のサブフレームであり、当該調整シンボルは、当該最後のサブフレームの最後のＯＦＤＭシンボル及び当該最初のサブフレームの最初のＯＦＤＭシンボルである。
【０１１６】
選択可能に、図９は例示的な一実施例により示されるもう１つのデータ伝送装置のブロック図であり、当該装置は、ユーザデバイスに適用され、図８に示すように、当該装置８００は、周波数調整または上り下りの切り替えを行う前の最後のサブフレームにキャリアされる第１の情報及び周波数調整または上り下りの切り替えを行った後の最初のサブフレームにキャリアされる第２の情報に応じて、当該調整シンボルを決定するように構成されるシンボル決定モジュール８０３をさらに含む。
【０１１７】
選択可能に、当該第１の情報と当該第２の情報との情報タイプが異なる場合、当該シンボル決定モジュール８０３は、当該第１の情報がデータ情報であり、当該第２の情報が制御情報である場合、当該最後のサブフレームを当該ターゲットサブフレームとして決定し、当該調整シンボルが、当該最後のサブフレームの最後の２つのＯＦＤＭシンボルであり、当該第１の情報が制御情報であり、当該第２の情報がデータ情報である場合、当該最初のサブフレームを当該ターゲットサブフレームとして決定し、当該調整シンボルが当該最初のサブフレームの最初の２つのＯＦＤＭシンボルである、ように構成される。
【０１１８】
選択可能に、当該第１の情報と当該第２の情報との情報タイプが同じである場合、当該シンボル決定モジュール８０３は、当該最後のサブフレームを当該ターゲットサブフレームとして決定し、当該調整シンボルが、当該最後のサブフレームの最後の２つのＯＦＤＭシンボルである、または、当該最初のサブフレームを当該ターゲットサブフレームとして決定し、当該調整シンボルが、当該最初のサブフレームの最初の２つのＯＦＤＭシンボルである、または、当該最後のサブフレーム及び当該最初のサブフレームを当該ターゲットサブフレームとして決定し、当該調整シンボルが当該最後のサブフレームの最後のＯＦＤＭシンボル及び当該最初のサブフレームの最初のＯＦＤＭシンボルである、ように構成される。
【０１１９】
選択可能に、当該シンボル決定モジュール８０３は、当該第１の情報及び第２の情報に対応する第１のシンボル設定ポリシーに従って、当該調整シンボルを決定するように構成され、ここで、当該第１のシンボル設定ポリシーは予め設定されたものであり、当該第１の情報と当該第２の情報との全ての組み合わせは、当該第１のシンボル設定ポリシーに対応し、ここで、当該第１のシンボル設定ポリシーは、当該最後のサブフレームが当該ターゲットサブフレームであり、当該調整シンボルが、当該最後のサブフレームの最後の２つのＯＦＤＭシンボルであること、または、当該最初のサブフレームが当該ターゲットサブフレームであり、当該調整シンボルが、当該最初のサブフレームの最初の２つのＯＦＤＭシンボルであること、または、当該最後のサブフレーム及び当該最初のサブフレームが当該ターゲットサブフレームであり、当該調整シンボルが、当該最後のサブフレームの最後のＯＦＤＭシンボル及び当該最初のサブフレームの最初のＯＦＤＭシンボルであることを含む。
【０１２０】
選択可能に、当該シンボル決定モジュール８０３は、当該第１の情報及び第２の情報に対応する第１のシンボル設定ポリシーに従って、当該調整シンボルを決定するように構成され、ここで、当該第１のシンボル設定ポリシーは予め設定されたものであり、当該第１の情報と当該第２の情報との全ての組み合わせは、それぞれ異なるシンボル設定ポリシーに対応し、当該第１のシンボル設定ポリシーは当該異なるシンボル設定ポリシーにおけるいずれかのシンボル設定ポリシーであり、ここで、当該第１の調整シンボル設定ポリシーは、当該最後のサブフレームが当該ターゲットサブフレームであり、当該調整シンボルが、当該最後のサブフレームの最後の２つのＯＦＤＭシンボルであること、または、当該最初のサブフレームが当該ターゲットサブフレームであり、当該調整シンボルが、当該最初のサブフレームの最初の２つのＯＦＤＭシンボルであること、または、当該最後のサブフレーム及び当該最初のサブフレームが当該ターゲットサブフレームであり、当該調整シンボルが、当該最後のサブフレームの最後のＯＦＤＭシンボル及び当該最初のサブフレームの最初のＯＦＤＭシンボルであることを含む。
【０１２１】
選択可能に、当該データ解析モジュール８０３は、データ解析を行う際に、解析された当該ターゲットサブフレームのデータのうち、当該調整シンボルに対応する位置を１または０で補完するように構成される。
【０１２２】
上記技術案において、基地局は、物理下りチャネルのリソースマッピングを行う際に、調整シンボルを含むターゲットサブフレームに対して、データシンボルをターゲットサブフレームのデータ伝送シンボルおよび調整シンボルにマッピングし、ターゲットサブフレームのデータ伝送を行う際に、調整シンボル内のデータシンボルの伝送を実行または放棄する。ここで、ターゲットサブフレームは、周波数調整または上り下りの切り替えを行う前の最後のサブフレーム、および／または周波数調整または上り下りの切り替えを行った後の最初のサブフレームであり、データ伝送シンボルは、データを伝送するためのＯＦＤＭシンボルであり、調整シンボルは、狭帯域周波数の調整時間または上り下りの切り替え調整時間とされるＯＦＤＭシンボルであり、対応的に、ユーザデバイスは、調整シンボルを含むターゲットサブフレームに対してデータ受信を行う際に、ターゲットサブフレームにおける調整シンボル内のデータシンボルの受信を放棄し、データ解析を行う際に、解析されたターゲットサブフレームのデータのうち、調整シンボルに対応する位置を予め設定された数値で補完する。したがって、本開示は、独立して配備されたＭＴＣシステムに対する狭帯域周波数調整時間や上り下りの切り替え調整時間の設定案、及びこの調整時間設定案の下でのデータ伝送方法を提供し、現在独立して配備されたＭＴＣシステムにおいて、制御チャネル領域がＭＰＤＣＣＨ及びＭＰＤＳＣＨで占有されている場合、狭帯域周波数調整時間や上り下りの切り替え調整時間を設定できないという問題を解決することができる。
【０１２３】
図１０は例示的な一実施例により示されるもう１つのデータ伝送装置１０００のブロック図である。例えば、装置１０００は、携帯電話、コンピュータ、デジタル放送端末、メッセージング送受信機、ゲームコンソール、タブレット装置、医療装置、フィットネス装置、パーソナルデジタルアシスタントなどのユーザデバイスであってもよい。
【０１２４】
図１０を参照し、装置１０００は、処理コンポーネント１００２、メモリ１００４、電源コンポーネント１００６、マルチメディアコンポーネント１００８、オーディオコンポーネント１０１０、入／出力（Ｉ／Ｏ）インターフェイス１０１２、センサコンポーネント１０１４、及び通信コンポーネント１０１６のうち１つ又は複数を含むことができる。
【０１２５】
処理コンポーネント１００２は、通常、装置１０００の全体の操作、例えば、表示、電話の呼び出し、データ通信、カメラ操作、及び記録操作に関連する操作を制御する。処理コンポーネント１００２は、上記データ伝送方法の実施例における全部又は一部のステップを完成するように、命令を実行するための１つ或複数のプロセッサ１０２０を含むことができる。また、処理コンポーネント１００２は、処理コンポーネント１００２と他のコンポーネントとの間のインタラクションを容易にするように、１つ又は複数のモジュールを含むことができる。例えば、処理コンポーネント１００２は、マルチメディアコンポーネント１００８と処理コンポーネント１００２との間のインタラクションを容易にするように、マルチメディアモジュールを含むことができる。
【０１２６】
メモリ１００４は、各種タイプのデータを記憶して装置１０００での操作をサポートするように構成される。これらのデータの例は、装置１０００で操作するためのあらゆるアプリケーションプログラム又は方法の命令、連絡先データ、電話帳データ、メッセージ、ピクチャ、及びビデオなどを含む。メモリ１００４は、スタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラム可能な読み出し専用メモリ（ＰＲＯＭ）、読み出し専用メモリ（ＲＯＭ）、磁気メモリ、フラッシュメモリ、ディスク又は光ディスクのような、任意タイプの揮発性又は不揮発性メモリ又はこれらの組み合わせによって実現することができる。
【０１２７】
電源コンポーネント１００６は、装置１０００の各種のユニットに電力を提供する。電源コンポーネント１００６は、電源管理システムと、１つ又は複数の電源と、装置１０００の電力の生成、管理及び配分に関連する他のコンポーネントとを含んでもよい。
【０１２８】
マルチメディアコンポーネント１００８は、前記装置１０００とユーザとの間に１つの出力インターフェイスを提供するスクリーンを含む。一部の実施例において、スクリーンは、液晶ディスプレイ（ＬＣＤ）とタッチパネル（ＴＰ）とを含んでもよい。スクリーンがタッチパネルを含む場合に、スクリーンは、ユーザからの入力信号を受信するためのタッチスクリーンとして実現することができる。タッチパネルは、タッチパネルをタッチ及びスライドするジェスチャを感知する１つ又は複数のタッチセンサを含む。前記タッチセンサは、タッチ又はスライド動作の境界を感知することができるほか、前記タッチ又はスライド操作に関する持続時間及び圧力を感知することができる。一部の実施例において、マルチメディアコンポーネント１００８は、フロントカメラ及び／又はバックカメラを含む。装置１０００が操作モードにあり、例えば、撮影モード又はビデオモードにある場合に、フロントカメラ及び／又はリアカメラは、外部のマルチメディアのデータを受信することができる。各フロントカメラ及びバックカメラは、１つの固定的な光学レンズシステムであり、又は焦点距離と光学ズーム機能を備えてもよい。
【０１２９】
オーディオコンポーネント１０１０は、オーディオ信号を出力及び／又は入力するように構成される。例えば、オーディオコンポーネント１０１０は、１つのマイク（ＭＩＣ）を含む。装置１０００が操作モード、例えば、呼び出しモード、記録モード及び音声認識モードにある場合に、マイクは、外部のオーディオ信号を受信するように構成される。受信したオーディオ信号は、さらにメモリ１００４に記憶され、又は通信コンポーネント１０１６を介して送信される。一部の実施例において、オーディオコンポーネント１０１０は、オーディオ信号を出力するための１つのスピーカをさらに含む。
【０１３０】
Ｉ／Ｏインターフェイス１０１２は、処理コンポーネント１００２とペリフェラルインターフェイスモジュールとの間のインターフェイスを提供する。上記ペリフェラルインターフェイスモジュールは、キーボード、クリックホイール、ボタンなどであってもよい。これらのボタンは、ホームボタン、音量ボタン、開始ボタン、及びロックボタンなどを含むが、これらに限定されない。
【０１３１】
センサコンポーネント１０１４は、各方面の状態評価を装置１０００に提供するための１つ又は複数のセンサを含む。例えば、センサコンポーネント１０１４は、装置１０００のオン／オフ状態、及びユニットの相対的位置決めを検出することができ、例えば、前記ユニットが装置１０００のディスプレイ及びキーパッドである。センサコンポーネント１０１４は、さらに、装置１０００又は装置１０００の１つユニットの位置変化、ユーザと装置１０００との接触が存在するか否か、装置１０００の方位又は加速／減速、及び装置１０００の温度変化を検出することができる。センサコンポーネント１０１４は、いかなる物理的接触もない場合に近くの物体の存在を検出するように構成される近接センサを含むことができる。センサコンポーネント１０１４は、光センサ、例えば、結像応用に使用されるＣＭＯＳ又はＣＣＤイメージセンサをさらに含むことができる。一部の実施例において、該センサコンポーネント１０１４は、加速度センサ、ジャイロセンサ、磁気センサ、圧力センサ、又は温度センサを含むことができる。
【０１３２】
通信コンポーネント１０１６は、装置１０００と他の装置との間の有線又は無線通信を容易にするように構成される。装置１０００は、例えば、ＷｉＦｉ、２Ｇ又は３Ｇ、４Ｇ又は５Ｇ又はそれらの組み合わせなどの通信規格に基づいた無線ネットワークにアクセスすることができる。例示的な一実施例において、通信コンポーネント１０１６は、ブロードキャストチャネルを介して外部のブロードキャスト管理システムからのブロードキャスト信号又はブロードキャスト関連情報を受信する。例示的な一実施例において、前記通信コンポーネント１０１６は、短距離通信を容易にするための近距離通信（ＮＦＣ）モジュールをさらに含む。例えば、ＮＦＣモジュールは、無線周波数認識（ＲＦＩＤ）技術、赤外線データ結合（ＩｒＤＡ）技術、超広帯域（ＵＷＢ）技術、ブルートゥース（ＢＴ：登録商標）技術、及び他の技術に基づいて実現することができる。
【０１３３】
例示的な実施例において、装置１０００は、上記データ伝送方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ、又は他の電子ユニットによって実現することができる。
【０１３４】
例示的な実施例において、命令を含む非一時的なコンピュータ読み取り可能な記憶媒体、例えば、命令を含むメモリ１００４も提供され、上記命令は、上記データ伝送方法を実行するために、装置１０００のプロセッサ１０２０によって実行することができる。例えば、非一時的なコンピュータ読み取り可能な記憶媒体は、ＲＯＭ、ランダムアクセスメモリ（ＲＡＭ）、ＣＤ−ＲＯＭ、磁気テープ、フロッピーディスク、光データ記憶装置などであってもよい。
【０１３５】
図１１は例示的な一実施例により示されるもう１つのデータ伝送方法のブロック図である。例えば、装置１１００はプロセッサまたは基地局として提供されることができる。図１１を参照し、装置１１００は、１つまたは複数のプロセッサと、処理コンポーネント１１２２によって実行可能な命令、例えばアプリケーションプログラムを格納するためのメモリ１１３２によって表されるメモリリソースと、をさらに含む処理コンポーネント１１２２を含む。メモリ１１３２に記憶されたアプリケーションプログラムは、１セットの命令に対応する１つまたは複数のそれぞれのモジュールを含むことができる。また、処理コンポーネント１１２２は、上記データ伝送方法を実行するための命令を実行するように構成される。
【０１３６】
装置１１００は、装置１１００の電源管理を実行するように構成される電源コンポーネント１１２６と、装置１１００をネットワークに接続するように構成される有線または無線のネットワークインターフェイス１１５０と、入出力（Ｉ／Ｏ）インターフェイス１１５８とをさらに含むことができる。装置１１００は、メモリ１１３２に記憶されるオペレーティングシステム、例えばＷｉｎｄｏｗｓ  ＳｅｒｖｅｒＴＭ、Ｍａｃ  ＯＳ  ＸＴＭ、ＵｎｉｘＴＭ、Ｌｉｎｕｘ（登録商標）ＴＭ、ＦｒｅｅＢＳＤＴＭまたは類似を操作することができる。
【０１３７】
当業者は、明細書を考慮してここに記載の発明を実践した後、本発明の他の実施案を容易に想到し得る。本発明は、ここに記載された一切変形、用途又は適応性的な変化を含むことを旨とし、これらの変形、用途又は適応的変化は本発明の一般的な原理及び本発明に開示されていない当該技術分野における周知知識又は常用の技術手段を含む。明細書と実施例とは例示的なものだけとみなされ、本発明の真の範囲と主旨は以下の特許請求の範囲によって指摘される。
【０１３８】
本発明は、上記既に説明されて図面に示された正確な構造を限定するものではなく、その原理及び主旨から逸脱しない限り、各種の補正、変化を行うことができる、と理解されるべきである。本発明の範囲は、添付の特許請求の範囲だけにより限定される。
【図１】
2021532639.tif 000007
【図２ａ】
2021532639.tif 000008
【図２ｂ】
2021532639.tif 000009
【図２ｃ】
2021532639.tif 000010
【図３】
2021532639.tif 000011
【図４】
2021532639.tif 000012
【図５】
2021532639.tif 000013
【図６】
2021532639.tif 000014
【図７】
2021532639.tif 000015
【図８】
2021532639.tif 000016
【図９】
2021532639.tif 000017
【図１０】
2021532639.tif 000018
【図１１】
2021532639.tif 000019
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
データ伝送方法であって、基地局に適用され、前記方法は、
物理下りチャネルのリソースマッピングを行う際に、調整シンボルを含むターゲットサブフレームに対して、データシンボルを前記ターゲットサブフレームのデータ伝送シンボルおよび前記調整シンボルにマッピングするステップであって、前記ターゲットサブフレームは、周波数調整または上り下りの切り替えを行う前の最後のサブフレーム、および／または周波数調整または上り下りの切り替えを行った後の最初のサブフレームであり、前記データ伝送シンボルは、データを伝送するための直交周波数分割多重ＯＦＤＭシンボルであり、前記調整シンボルは、狭帯域周波数の調整時間または上り下りの切り替え調整時間とされるＯＦＤＭシンボルであるステップと、
前記ターゲットサブフレームのデータ伝送を行う際に、前記調整シンボル内のデータシンボルの伝送を実行または放棄するステップと、を含む、
ことを特徴とするデータ伝送方法。
【請求項２】
前記ターゲットサブフレームは、周波数調整または上り下りの切り替えを行う前の最後のサブフレームであり、前記調整シンボルは、前記最後のサブフレームの最後の２つのＯＦＤＭシンボルであり、または、
前記ターゲットサブフレームは、周波数調整または上り下りの切り替えを行った後の最初のサブフレームであり、前記調整シンボルは、前記最初のサブフレームの最初の２つのＯＦＤＭシンボルであり、または、
前記ターゲットサブフレームは、周波数調整または上り下りの切り替えを行う前の最後のサブフレーム、および周波数調整または上り下りの切り替えを行った後の最初のサブフレームであり、前記調整シンボルは、前記最後のサブフレームの最後のＯＦＤＭシンボル及び前記最初のサブフレームの最初のＯＦＤＭシンボルである、
ことを特徴とする請求項１に記載の方法。
【請求項３】
周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップをさらに含む、
ことを特徴とする請求項１に記載の方法。
【請求項４】
前記第１の情報と前記第２の情報との情報タイプが異なる場合、前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、
前記第１の情報がデータ情報であり、前記第２の情報が制御情報である場合、前記最後のサブフレームを前記ターゲットサブフレームとして決定し、前記調整シンボルが、前記最後のサブフレームの最後の２つのＯＦＤＭシンボルであるステップと、
前記第１の情報が制御情報であり、前記第２の情報がデータ情報である場合、前記最初のサブフレームを前記ターゲットサブフレームとして決定し、前記調整シンボルが、前記最初のサブフレームの最初の２つのＯＦＤＭシンボルであるステップと、を含む、
ことを特徴とする請求項３に記載の方法。
【請求項５】
前記第１の情報と前記第２の情報との情報タイプが同じである場合、前記周波数調整または上り下りの切り替えを行う前の最後のサブフレームにキャリアされる情報及び周波数調整または上り下りの切り替えを行った後の最初のサブフレームにキャリアされる第２の情報に応じて、前記調整シンボルを決定するステップは、
前記最後のサブフレームを前記ターゲットサブフレームとして決定し、前記調整シンボルが、前記最後のサブフレームの最後の２つのＯＦＤＭシンボルであるステップ、または、
前記最初のサブフレームを前記ターゲットサブフレームとして決定し、前記調整シンボルが、前記最初のサブフレームの最初の２つのＯＦＤＭシンボルであるステップ、または、
前記最後のサブフレーム及び前記最初のサブフレームを前記ターゲットサブフレームとして決定し、前記調整シンボルが、前記最後のサブフレームの最後のＯＦＤＭシンボル及び前記最初のサブフレームの最初のＯＦＤＭシンボルであるステップ、を含む、
ことを特徴とする請求項３に記載の方法。
【請求項６】
前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、
前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、前記第１のシンボル設定ポリシーに対応し、
ここで、前記第１のシンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項３に記載の方法。
【請求項７】
前記周波数調整または上り下りの切り替えを行う前の最後のサブフレームにキャリアされる情報及び周波数調整または上り下りの切り替えを行った後の最初のサブフレームにキャリアされる情報に応じて、前記調整シンボルを決定するステップは、
前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、それぞれ異なるシンボル設定ポリシーに対応し、前記第１のシンボル設定ポリシーは前記異なるシンボル設定ポリシーにおけるいずれかのシンボル設定ポリシーであり、
ここで、前記第１の調整シンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項３に記載の方法。
【請求項８】
データ伝送方法であって、ユーザデバイスに適用され、前記方法は、
調整シンボルを含むターゲットサブフレームに対してデータ受信を行う際に、前記ターゲットサブフレームにおける前記調整シンボル内のデータシンボルの受信を放棄するステップであって、前記ターゲットサブフレームは、周波数調整または上り下りの切り替えを行う前の最後のサブフレーム、および／または周波数調整または上り下りの切り替えを行った後の最初のサブフレームであり、前記調整シンボルは、狭帯域周波数の調整時間または上り下りの切り替え調整時間とされる直交周波数分割多重ＯＦＤＭシンボルであるステップと、
データ解析を行う際に、解析された前記ターゲットサブフレームのデータのうち、前記調整シンボルに対応する位置を予め設定された数値で補完するステップと、を含む、
ことを特徴とするデータ伝送方法。
【請求項９】
前記ターゲットサブフレームは、周波数調整または上り下りの切り替えを行う前の最後のサブフレームであり、前記調整シンボルは、前記最後のサブフレームの最後の２つのＯＦＤＭシンボルであり、または、
前記ターゲットサブフレームは、周波数調整または上り下りの切り替えを行った後の最初のサブフレームであり、前記調整シンボルは、前記最初のサブフレームの最初の２つのＯＦＤＭシンボルであり、または、
前記ターゲットサブフレームは、周波数調整または上り下りの切り替えを行う前の最後のサブフレーム、および周波数調整または上り下りの切り替えを行った後の最初のサブフレームであり、前記調整シンボルは、前記最後のサブフレームの最後のＯＦＤＭシンボル及び前記最初のサブフレームの最初のＯＦＤＭシンボルである、
ことを特徴とする請求項８に記載の方法。
【請求項１０】
周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップをさらに含む、
ことを特徴とする請求項８に記載の方法。
【請求項１１】
前記第１の情報と前記第２の情報との情報タイプが異なる場合、前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、
前記第１の情報がデータ情報であり、前記第２の情報が制御情報である場合、前記最後のサブフレームを前記ターゲットサブフレームとして決定し、前記調整シンボルが、前記最後のサブフレームの最後の２つのＯＦＤＭシンボルであるステップと、
前記第１の情報が制御情報であり、前記第２の情報がデータ情報である場合、前記最初のサブフレームを前記ターゲットサブフレームとして決定し、前記調整シンボルが、前記最初のサブフレームの最初の２つのＯＦＤＭシンボルであるステップと、を含む、
ことを特徴とする請求項１０に記載の方法。
【請求項１２】
前記第１の情報と前記第２の情報との情報タイプが同じである場合、前記周波数調整または上り下りの切り替えを行う前の最後のサブフレームにキャリアされる情報及び周波数調整または上り下りの切り替えを行った後の最初のサブフレームにキャリアされる第２の情報に応じて、前記調整シンボルを決定するステップは、
前記最後のサブフレームを前記ターゲットサブフレームとして決定し、前記調整シンボルが、前記最後のサブフレームの最後の２つのＯＦＤＭシンボルであるステップ、または、
前記最初のサブフレームを前記ターゲットサブフレームとして決定し、前記調整シンボルが、前記最初のサブフレームの最初の２つのＯＦＤＭシンボルであるステップ、または、
前記最後のサブフレーム及び前記最初のサブフレームを前記ターゲットサブフレームとして決定し、前記調整シンボルが、前記最後のサブフレームの最後のＯＦＤＭシンボル及び前記最初のサブフレームの最初のＯＦＤＭシンボルであるステップ、を含む、
ことを特徴とする請求項１０に記載の方法。
【請求項１３】
前記周波数調整または上り下りの切り替えを行う前の最後のサブフレームにキャリアされる第１の情報及び周波数調整または上り下りの切り替えを行った後の最初のサブフレームにキャリアされる第２の情報に応じて、前記調整シンボルを決定するステップは、
前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、前記第１のシンボル設定ポリシーに対応し、
ここで、前記第１のシンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項１０に記載の方法。
【請求項１４】
前記周波数調整または上り下りの切り替えを行う前の最後のサブフレームにキャリアされる情報及び周波数調整または上り下りの切り替えを行った後の最初のサブフレームにキャリアされる情報に応じて、前記調整シンボルを決定するステップは、
前記第１の情報及び第２の情報に対応する第１のシンボル設定ポリシーに従って、前記調整シンボルを決定するステップを含み、ここで、前記第１のシンボル設定ポリシーは予め設定されたものであり、前記第１の情報と前記第２の情報との全ての組み合わせは、それぞれ異なるシンボル設定ポリシーに対応し、前記第１のシンボル設定ポリシーは前記異なるシンボル設定ポリシーにおけるいずれかのシンボル設定ポリシーであり、
ここで、前記第１の調整シンボル設定ポリシーは、前記最後のサブフレームが前記ターゲットサブフレームであり、前記調整シンボルが、前記最後のサブフレームの最後の２つのＯＦＤＭシンボルであること、または、前記最初のサブフレームが前記ターゲットサブフレームであり、前記調整シンボルが、前記最初のサブフレームの最初の２つのＯＦＤＭシンボルであること、または、前記最後のサブフレーム及び前記最初のサブフレームが前記ターゲットサブフレームであり、前記調整シンボルが、前記最後のサブフレームの最後のＯＦＤＭシンボル及び前記最初のサブフレームの最初のＯＦＤＭシンボルであることを含む、
ことを特徴とする請求項１０に記載の方法。
【請求項１５】
前記データ解析を行う際に、解析された前記ターゲットサブフレームのデータのうち、前記調整シンボルに対応する位置を予め設定された数値で補完するステップは、
データ解析を行う際に、解析された前記ターゲットサブフレームのデータのうち、前記調整シンボルに対応する位置を１または０で補完するステップを含む、
ことを特徴とする請求項８に記載の方法。
【請求項１６】
データ伝送装置であって、基地局に適用され、前記装置は、
物理下りチャネルのリソースマッピングを行う際に、調整シンボルを含むターゲットサブフレームに対して、データシンボルを前記ターゲットサブフレームのデータ伝送シンボルおよび前記調整シンボルにマッピングするように構成されるリソースマッピングモジュールであって、前記ターゲットサブフレームは、周波数調整または上り下りの切り替えを行う前の最後のサブフレーム、および／または周波数調整または上り下りの切り替えを行った後の最初のサブフレームであり、前記データ伝送シンボルは、データを伝送するための直交周波数分割多重ＯＦＤＭシンボルであり、前記調整シンボルは、狭帯域周波数の調整時間または上り下りの切り替え調整時間とされるＯＦＤＭシンボルであるリソースマッピングモジュールと、
前記ターゲットサブフレームのデータ伝送を行う際に、前記調整シンボル内のデータシンボルの伝送を実行または放棄するように構成されるデータ伝送モジュールと、を含む、
ことを特徴とするデータ伝送装置。
【請求項１７】
データ伝送装置であって、ユーザデバイスに適用され、前記装置は、
調整シンボルを含むターゲットサブフレームに対してデータ受信を行う際に、前記ターゲットサブフレームにおける前記調整シンボル内のデータシンボルの受信を放棄するように構成される受信モジュールであって、前記ターゲットサブフレームは、周波数調整または上り下りの切り替えを行う前の最後のサブフレーム、および／または周波数調整または上り下りの切り替えを行った後の最初のサブフレームであり、前記調整シンボルは、狭帯域周波数の調整時間または上り下りの切り替え調整時間とされる直交周波数分割多重ＯＦＤＭシンボルである受信モジュールと、
データ解析を行う際に、解析された前記ターゲットサブフレームのデータのうち、前記調整シンボルに対応する位置を予め設定された数値で補完するように構成されるデータ解析モジュールと、を含む、
ことを特徴とするデータ伝送装置。
【請求項１８】
データ伝送装置であって、基地局に適用され、
プロセッサと、
前記プロセッサにより実行可能なコンピュータ命令が記憶されるメモリと、を含み、
前記プロセッサは、
物理下りチャネルのリソースマッピングを行う際に、調整シンボルを含むターゲットサブフレームに対して、データシンボルを前記ターゲットサブフレームのデータ伝送シンボルおよび前記調整シンボルにマッピングし、前記ターゲットサブフレームが、周波数調整または上り下りの切り替えを行う前の最後のサブフレーム、および／または周波数調整または上り下りの切り替えを行った後の最初のサブフレームであり、前記データ伝送シンボルが、データを伝送するためのＯＦＤＭシンボルであり、前記調整シンボルが、狭帯域周波数の調整時間または上り下りの切り替え調整時間とされる直交周波数分割多重ＯＦＤＭシンボルであり、
前記ターゲットサブフレームのデータ伝送を行う際に、前記調整シンボル内のデータシンボルの伝送を実行または放棄するように構成される、
ことを特徴とするデータ伝送装置。
【請求項１９】
データ伝送装置であって、ユーザデバイスに適用され、
プロセッサと、
前記プロセッサにより実行可能なコンピュータ命令が記憶されるメモリと、を含み、
前記プロセッサは、
調整シンボルを含むターゲットサブフレームに対してデータ受信を行う際に、前記ターゲットサブフレームにおける前記調整シンボル内のデータシンボルの受信を放棄し、前記ターゲットサブフレームが、周波数調整または上り下りの切り替えを行う前の最後のサブフレーム、および／または周波数調整または上り下りの切り替えを行った後の最初のサブフレームであり、前記調整シンボルが、狭帯域周波数の調整時間または上り下りの切り替え調整時間とされる直交周波数分割多重ＯＦＤＭシンボルであり、
データ解析を行う際に、解析された前記ターゲットサブフレームのデータのうち、前記調整シンボルに対応する位置を予め設定された数値で補完するように構成される、
ことを特徴とするデータ伝送装置。
【国際調査報告】
2021532639.tif 000020
2021532639.tif 000021
2021532639.tif 000022
2021532639.tif 000023